(57)【要約】【課題】既存の資料を利用しながら作成者の意図に合わせた柔軟な資料作成方法、あるいはこれを実現するシステムであってコンテンツ利用のエビデンスを残すことが可能であり、かつ作成資料が改竄されないようなシステム、方法の提供。【解決手段】プレゼンテーション資料を組立てるために利用可能なプレゼンテーション画面を複数保持し、保持されている画面を選択することで作成者の意図に応じた内容の画面を選択可能であり、また同時に画面を選択した順序が含まれる画面選択順位情報を保持し、画面選択順位情報に基づいて画面を構成することで、作成者の意図に応じた構成によりプレゼンテーション資料が組立可能なプレゼンテーション資料組立システムを提供する。【選択図】図２
2019175456.tif 000002
【特許請求の範囲】
【請求項１】
一のプレゼンテーション資料の組立の開始命令を受付ける組立開始命令受付部と、
プレゼンテーション資料を組立てるために利用可能なプレゼンテーション画面を複数保持するプレゼンテーション画面保持部と、
組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付けるプレゼンテーション画面選択受付部と、
選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、
選択されたプレゼンテーション画面の選択を解除する選択解除部と、
解除に応じて画面選択順位情報を変更する画面選択順位情報変更部と、
入力に基づいて保持されている画面選択順位情報を更新不可として固定選択順位情報とする更新不可部と、
更新不可部によって選択順位情報の更新が不可とされた固定選択順位情報に関連付ける名称の入力を受付ける名称入力受付部と、
入力に基づいて名称を変更不可とし、組立てられたプレゼンテーション資料とする変更不可部と、
変更不可とされたプレゼンテーション資料を保持するプレゼンテーション資料保持部と、
変更不可部による変更不可後に保持されているプレゼンテーション資料の画面選択順位情報に従ってプレゼンテーション画面を表示するプレゼンテーション画面表示部と、
を有するプレゼンテーション資料組立システム。
【請求項２】
プレゼンテーション資料保持部に保持されているプレゼンテーション資料はプレゼンテーション資料保持部内では複製できないプレゼンテーション資料保持部内では複製できない請求項１に記載のプレゼンテーション資料組立システム。
【請求項３】
プレゼンテーション画面選択受付部は、プレゼンテーション画面そのものをアイコンに利用したアイコン利用選択手段を有する請求項１又は請求項２に記載のプレゼンテーション資料組立システム。
【請求項４】
プレゼンテーション画面保持部のプレゼンテーション画面の変更、追加、削除をするための編集部をさらに有する請求項１から請求項３のいずれか一に記載のプレゼンテーション資料組立システム。
【請求項５】
画面選択順位情報を外部より取得する画面選択順位情報取得部と、
取得した画面選択順位情報を画面選択順位情報保持部に記録する画面選択順位情報記録部と、
をさらに有する請求項１から請求項４のいずれか一に記載のプレゼンテーション資料組立システム。
【請求項６】
一のプレゼンテーション資料の組立の開始命令を受付ける組立開始命令受付部と、
プレゼンテーション資料を組立てるために利用可能なプレゼンテーション画面を複数保持するプレゼンテーション画面保持部と、
組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付けるプレゼンテーション画面選択受付部と、
選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、
選択されたプレゼンテーション画面の選択を解除する選択解除部と、
解除に応じて画面選択順位情報を変更する画面選択順位情報変更部と、
選択されたプレゼンテーション画面のサムネイルであるプレゼンテーションサムネイル画面を選択された順に複数並べて表示するプレゼンテーションサムネイル画面表示部と
を有するプレゼンテーション資料組立システム。
【請求項７】
プレゼンテーション画面選択受付部による選択受付画面と、選択された順に複数並べて表示されるプレゼンテーションサムネイル画面表示部によるプレゼンテーションサムネイル画面とを同一画面上に構成する同時表示部をさらに有する請求項６に記載のプレゼンテーション資料組立システム。
【請求項８】
組立開始命令を受付けた場合に、プレゼンテーション画面保持部に保持されており、プレゼンテーション画面選択受付画面に表示されているプレゼンテーション画面を拡大表示するプレゼンテーション画面拡大表示部をさらに有する請求項６又は請求項７に記載のプレゼンテーション資料組立システム。
【請求項９】
保持されている画面選択順位情報を複製して画面選択順位情報保持部に保持する複製保持部をさらに有する請求項６から請求項８のいずれか一に記載のプレゼンテーション資料組立システム。
【請求項１０】
画面選択順位情報保持部に保持されている画面選択順位情報を編集するための画面選択順位情報編集部をさらに有する請求項６から請求項９のいずれか一に記載のプレゼンテーション資料組立システム。
【請求項１１】
入力に基づいて保持されている画面選択順位情報を更新不可として固定選択順位情報とする更新不可部と、
更新不可部によって選択順位情報の更新が不可とされた固定選択順位情報に関連付ける名称の入力を受付ける名称入力受付部と、
入力に基づいて名称を変更不可とし、組立てられたプレゼンテーション資料とする変更不可部と、
変更不可とされたプレゼンテーション資料を保持するプレゼンテーション資料保持部と、
変更不可部による変更不可後に保持されているプレゼンテーション資料の画面選択順位情報に従ってプレゼンテーション画面を表示するプレゼンテーション画面表示部と、
を有する請求項６から請求項１０のいずれか一に記載のプレゼンテーション資料組立システム。
【請求項１２】
プレゼンテーション資料保持部に保持されているプレゼンテーション資料はプレゼンテーション資料保持部内では複製できない請求項６から請求項１１に記載のプレゼンテーション資料組立システム。
【請求項１３】
プレゼンテーション画面選択受付部は、プレゼンテーション画面そのものをアイコンに利用したアイコン利用選択手段を有する請求項６から請求項１２のいずれか一に記載のプレゼンテーション資料組立システム。
【請求項１４】
プレゼンテーション画面保持部のプレゼンテーション画面の変更、追加、削除をするための編集部をさらに有する請求項６から請求項１３のいずれか一に記載のプレゼンテーション資料組立システム。
【請求項１５】
画面選択順位情報を外部より取得する画面選択順位情報取得部と、
取得した画面選択順位情報を画面選択順位情報保持部に記録する画面選択順位情報記録部と、
をさらに有する請求項６から請求項１４のいずれか一に記載のプレゼンテーション資料組立システム。
【請求項１６】
プレゼンテーション資料を組立てるために利用可能なプレゼンテーション画面を複数保持するプレゼンテーション画面保持部と、
選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、
変更不可とされたプレゼンテーション資料を保持するプレゼンテーション資料保持部と、
を有するプレゼンテーション資料組立システムの動作方法であって、
一のプレゼンテーション資料の組立の開始命令を受付ける組立開始命令受付ステップと、
組立開始命令を受付けた場合に、プレゼンテーション画面保持部中で、階層的な目次によって一のプレゼンテーション資料を組立てるために、いったん選択して後記選択解除ステップで選択解除されたか、又は、一度も選択されていない未選択のプレゼンテーション画面の選択を受付けるプレゼンテーション画面選択受付ステップと、
選択されたプレゼンテーション画面の選択を解除する選択解除ステップと、
解除に応じて画面選択順位情報を変更する画面選択順位情報変更ステップと、
入力に基づいて保持されている画面選択順位情報を更新不可として固定選択順位情報とする更新不可ステップと、
更新不可ステップによって選択順位情報の更新が不可とされた固定選択順位情報に関連付ける名称の入力を受付ける名称入力受付ステップと、
入力に基づいて名称を変更不可とし、組立てられたプレゼンテーション資料とする変更不可ステップと、
変更不可ステップによる変更不可後に保持されているプレゼンテーション資料の画面選択順位情報に従ってプレゼンテーション画面を表示するプレゼンテーション画面表示ステップと、
を有するプレゼンテーション資料組立システムの動作方法。
【請求項１７】
プレゼンテーション資料を組立てるために利用可能なプレゼンテーション画面を複数保持するプレゼンテーション画面保持部と、
選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、
変更不可とされたプレゼンテーション資料を保持するプレゼンテーション資料保持部と、
を有するプレゼンテーション資料組立システムの動作方法であって、
一のプレゼンテーション資料の組立の開始命令を受付ける組立開始命令受付ステップと、
組立開始命令を受付けた場合に、プレゼンテーション画面保持部中で、階層的な目次によって一のプレゼンテーション資料を組立てるために、いったん選択して後記選択解除ステップで選択解除されたか、又は、一度も選択されていない未選択のプレゼンテーション画面の選択を受付けるプレゼンテーション画面選択受付ステップと、
選択されたプレゼンテーション画面の選択を解除する選択解除ステップと、
解除に応じて画面選択順位情報を変更する画面選択順位情報変更ステップと、
選択されたプレゼンテーション画面のサムネイルであるプレゼンテーションサムネイル画面を選択された順に複数並べて表示するプレゼンテーションサムネイル画面表示ステップと
を有するプレゼンテーション資料組立システムの動作方法。
【請求項１８】
プレゼンテーション画面選択受付ステップによる選択受付画面と、選択された順に複数並べて表示されるプレゼンテーションサムネイル画面表示ステップによるプレゼンテーションサムネイル画面とを同一画面上に構成する同時表示ステップをさらに有する請求項１７に記載のプレゼンテーション資料組立システムの動作方法。
【請求項１９】
組立開始命令を受付けた場合に、プレゼンテーション画面保持部に保持されており、プレゼンテーション画面選択受付画面に表示されているプレゼンテーション画面を拡大表示するプレゼンテーション画面拡大表示ステップをさらに有する請求項１７又は請求項１８に記載のプレゼンテーション資料組立システムの動作方法。
【請求項２０】
保持されている画面選択順位情報を複製して画面選択順位情報保持部に格納する複製格納ステップをさらに有する請求項１７から請求項１９のいずれか一に記載のプレゼンテーション資料組立システムの動作方法。
【請求項２１】
画面選択順位情報保持部に保持されている画面選択順位情報を編集するための画面選択順位情報編集ステップをさらに有する請求項１７から請求項２０のいずれか一に記載のプレゼンテーション資料組立システム。
【請求項２２】
変更不可とされたプレゼンテーション資料を保持するプレゼンテーション資料保持部をさらに有するプレゼンテーション資料組立システムの動作方法であって、
入力に基づいて保持されている画面選択順位情報を更新不可として固定選択順位情報とする更新不可ステップと、
更新不可部によって選択順位情報の更新が不可とされた固定選択順位情報に関連付ける名称の入力を受付ける名称入力受付ステップと、
入力に基づいて名称を変更不可とし、組立てられたプレゼンテーション資料とする変更不可ステップと、
変更不可ステップによる変更不可後に保持されているプレゼンテーション資料の画面選択順位情報に従ってプレゼンテーション画面を表示するプレゼンテーション画面表示ステップと、
を有する請求項１７から請求項２１のいずれか一に記載のプレゼンテーション資料組立システムの動作方法。
【請求項２３】
プレゼンテーション資料を組立てるために利用可能なプレゼンテーション画面を複数保持するプレゼンテーション画面保持部と、
選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、
変更不可とされたプレゼンテーション資料を保持するプレゼンテーション資料保持部と、
を有するプレゼンテーション資料組立システムの動作プログラムであって、
一のプレゼンテーション資料の組立の開始命令を受付ける組立開始命令受付ステップと、
組立開始命令を受付けた場合に、プレゼンテーション画面保持部中で、階層的な目次によって一のプレゼンテーション資料を組立てるために、いったん選択して後記選択解除ステップで選択解除されたか、又は、一度も選択されていない未選択のプレゼンテーション画面の選択を受付けるプレゼンテーション画面選択受付ステップと、
選択されたプレゼンテーション画面の選択を解除する選択解除ステップと、
解除に応じて画面選択順位情報を変更する画面選択順位情報変更ステップと、
入力に基づいて保持されている画面選択順位情報を更新不可として固定選択順位情報とする更新不可ステップと、
更新不可ステップによって選択順位情報の更新が不可とされた固定選択順位情報に関連付ける名称の入力を受付ける名称入力受付ステップと、
入力に基づいて名称を変更不可とし、組立てられたプレゼンテーション資料とする変更不可ステップと、
変更不可ステップによる変更不可後に保持されているプレゼンテーション資料の画面選択順位情報に従ってプレゼンテーション画面を表示するプレゼンテーション画面表示ステップと、
を有するプレゼンテーション資料組立システムの動作プログラム。
【請求項２４】
プレゼンテーション資料を組立てるために利用可能なプレゼンテーション画面を複数保持するプレゼンテーション画面保持部と、
選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、
変更不可とされたプレゼンテーション資料を保持するプレゼンテーション資料保持部と、
を有するプレゼンテーション資料組立システムの動作プログラムであって、
一のプレゼンテーション資料の組立の開始命令を受付ける組立開始命令受付ステップと、
組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付けるプレゼンテーション画面選択受付ステップと、
選択されたプレゼンテーション画面の選択を解除する選択解除ステップと、
解除に応じて画面選択順位情報を変更する画面選択順位情報変更ステップと、
選択されたプレゼンテーション画面のサムネイルであるプレゼンテーションサムネイル画面を選択された順に複数並べて表示するプレゼンテーションサムネイル画面表示ステップと
を有するプレゼンテーション資料組立システムの動作プログラム。
【請求項２５】
プレゼンテーション画面選択受付ステップによる選択受付画面と、選択された順に複数並べて表示されるプレゼンテーションサムネイル画面表示ステップによるプレゼンテーションサムネイル画面とを同一画面上に構成する同時表示ステップをさらに有する請求項２４に記載のプレゼンテーション資料組立システムの動作プログラム。
【請求項２６】
組立開始命令を受付けた場合に、プレゼンテーション画面保持部に保持されており、プレゼンテーション画面選択受付画面に表示されているプレゼンテーション画面を拡大表示するプレゼンテーション画面拡大表示ステップをさらに有する請求項２４又は請求項２５に記載のプレゼンテーション資料組立システムの動作プログラム。
【請求項２７】
保持されている画面選択順位情報を複製して画面選択順位情報保持部に格納する複製格納ステップをさらに有する請求項２４から請求項２６のいずれか一に記載のプレゼンテーション資料組立システムの動作プログラム。
【請求項２８】
画面選択順位情報保持部に保持されている画面選択順位情報を編集するための画面選択順位情報編集ステップをさらに有する請求項２４から請求項２７のいずれか一に記載のプレゼンテーション資料組立システム。
【請求項２９】
変更不可とされたプレゼンテーション資料を保持するプレゼンテーション資料保持部をさらに有するプレゼンテーション資料組立システムの動作プログラムであって、
入力に基づいて保持されている画面選択順位情報を更新不可として固定選択順位情報とする更新不可ステップと、
更新不可部によって選択順位情報の更新が不可とされた固定選択順位情報に関連付ける名称の入力を受付ける名称入力受付ステップと、
入力に基づいて名称を変更不可とし、組立てられたプレゼンテーション資料とする変更不可ステップと、
変更不可ステップによる変更不可後に保持されているプレゼンテーション資料の画面選択順位情報に従ってプレゼンテーション画面を表示するプレゼンテーション画面表示ステップと、
を有する請求項２４から請求項２８のいずれか一に記載のプレゼンテーション資料組立システムの動作プログラム。
【発明の詳細な説明】
【技術分野】
【０００１】
本発明は、既存の素材を組み合わせて容易に資料を作成することのできるプレゼンテーション資料組立システムに関する。
【背景技術】
【０００２】
プレゼンテーション用資料は、その構成要素であるプレゼンテーション画面を作成し、作成したプレゼンテーション画面を表示する順序を決定することで作成される。既存のプレゼンテーション画面がある場合には、これらを組み合わせ、その順序を決定することで、効率的に作成を進めることも可能である。
【先行技術文献】
【特許文献】
【０００３】
【特許文献１】特開２００６−２９３６５２号公報
【発明の概要】
【発明が解決しようとする課題】
【０００４】
特許文献１では、あらかじめ定められたストーリーを構成する項目に従って教育資料の作成をする技術が開示されている。より詳細には、前記各項目にて説明すべきコンテンツが複数の選択肢の中から選択可能に構成される。作成者は、最初から最後までストーリーを構成する各項目で自由にコンテンツを選択し教育資料を完成させる。
【０００５】
従って、同じ項目から構成されるストーリーであっても作成者の意図によって多種多様な教育資料が作成されうる。しかしながら、いざその教育資料が利用されて学習者がその教育資料にそった学習をしたとしても、その後その教育資料がその学習者に利用されたとするエビデンスを残すような工夫はされていない。教育の効率を高めるためなど、どのような人物がどのようなコンテンツを視聴したかが重要な場面では実際に利用されたコンテンツをエビデンスとして残しておくことには重要な意義があるが、この従来技術も含めてそのような要請に応じてコンテンツを選択しながら資料を作成し、エビデンスとして残してゆくシステムはなかった。
【０００６】
上記のような問題を踏まえ、本願発明では、既存の資料を利用しながら作成者の意図に合わせた柔軟な資料作成方法、あるいはこれを実現するシステムであってコンテンツ利用のエビデンスを残すことが可能であり、かつ作成資料が改竄されないような装置、方法を提供する。
【課題を解決するための手段】
【０００７】
このような課題に対し、本発明は、プレゼンテーション資料を組立てるために利用可能なプレゼンテーション画面を複数保持し、保持されている画面を選択することで作成者の意図に応じた内容の画面を選択可能であり、また同時に画面を選択した順序が含まれる画面選択順位情報を保持し、画面選択順位情報に基づいて画面を構成することで、作成者の意図に応じた構成によりプレゼンテーション資料が組立可能であり、作成した資料を変更不可とし、改竄が防止されたコンテンツ利用のエビデンスを残すことが可能なプレゼンテーション資料組立システムを提供する。
【０００８】
具体的には第一の主発明として、一のプレゼンテーション資料の組立の開始命令を受付ける組立開始命令受付部と、プレゼンテーション資料を組立てるために利用可能なプレゼンテーション画面を複数保持するプレゼンテーション画面保持部と、組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付けるプレゼンテーション画面選択受付部と、選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、選択されたプレゼンテーション画面の選択を解除する選択解除部と、解除に応じて画面選択順位情報を変更する画面選択順位情報変更部と、入力に基づいて保持されている選択順位情報を更新不可として固定選択順位情報とする更新不可部と、更新不可部によって選択順位情報の更新が不可とされた固定選択順位情報に関連付ける名称の入力を受付ける名称入力受付部と、入力に基づいて名称を変更不可とし、組立てられたプレゼンテーション資料とする変更不可部と、変更不可とされたプレゼンテーション資料を保持するプレゼンテーション資料保持部と、変更不可部による変更不可後に保持されているプレゼンテーション資料の画面選択順位情報に従ってプレゼンテーション画面を表示するプレゼンテーション画面表示部と、を有するプレゼンテーション資料組立システムを提供する。
【０００９】
また上記特徴に加えてさらに、プレゼンテーション資料保持部に保持されているプレゼンテーション資料はプレゼンテーション資料保持部内では複製できないプレゼンテーション資料組立システムを提供する。
【００１０】
また上記特徴に加えて、プレゼンテーション画面選択受付部は、プレゼンテーション画面そのものをアイコンに利用したアイコン利用選択手段を有するプレゼンテーション資料組立システムを提供する。
【００１１】
また上記特徴に加えて、プレゼンテーション画面保持部のプレゼンテーション画面の変更、追加、削除をするための編集部をさらに有するプレゼンテーション資料組立システムを提供する。
【００１２】
また上記特徴に加えて、画面選択順位情報を外部より取得する画面選択順位情報取得部と、取得した画面選択順位情報を画面選択順位情報保持部に記録する画面選択順位情報記録部と、をさらに有するプレゼンテーション資料組立システムを提供する。
【００１３】
また第二の主発明として、一のプレゼンテーション資料の組立の開始命令を受付ける組立開始命令受付部と、プレゼンテーション資料を組立てるために利用可能なプレゼンテーション画面を複数保持するプレゼンテーション画面保持部と、組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付けるプレゼンテーション画面選択受付部と、選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する画面選択順位情報保持部と、選択されたプレゼンテーション画面の選択を解除する選択解除部と、解除に応じて画面選択順位情報を変更する画面選択順位情報変更部と、選択されたプレゼンテーション画面のサムネイルであるプレゼンテーションサムネイル画面を選択された順に複数並べて表示するプレゼンテーションサムネイル画面表示部と、を有するプレゼンテーション資料組立システムを提供する。
【００１４】
また上記特徴に加えて、プレゼンテーション画面選択受付部による選択受付画面と、選択された順に複数並べて表示されるプレゼンテーションサムネイル画面表示部によるプレゼンテーションサムネイル画面とを同一画面上に構成する同時表示部をさらに有するプレゼンテーション資料組立システムを提供する。
【００１５】
また上記特徴に加えて、組立開始命令を受付けた場合に、プレゼンテーション画面保持部に保持されており、プレゼンテーション画面選択受付画面に表示されているプレゼンテーション画面を拡大表示するプレゼンテーション画面拡大表示部をさらに有するプレゼンテーション資料組立システムを提供する。
【００１６】
また上記特徴に加えて、保持されている画面選択順位情報を複製して画面選択順位情報保持部に保持する複製保持部をさらに有するプレゼンテーション資料組立システムを提供する。
【００１７】
また上記特徴に加えて、画面選択順位情報保持部に保持されている画面選択順位情報を編集するための画面選択順位情報編集部をさらに有するプレゼンテーション資料組立システムを提供する。
【００１８】
また上記特徴に加えて、入力に基づいて保持されている画面選択順位情報を更新不可として固定選択順位情報とする更新不可部と、更新不可部によって選択順位情報の更新が不可とされた固定選択順位情報に関連付ける名称の入力を受付ける名称入力受付部と、入力に基づいて名称を変更不可とし、組立てられたプレゼンテーション資料とする変更不可部と、変更不可とされたプレゼンテーション資料を保持するプレゼンテーション資料保持部と、変更不可部による変更不可後に保持されているプレゼンテーション資料の画面選択順位情報に従ってプレゼンテーション画面を表示するプレゼンテーション画面表示部と、を有するプレゼンテーション資料組立システムを提供する。
【００１９】
また上記特徴に加えて、プレゼンテーション資料保持部に保持されているプレゼンテーション資料はプレゼンテーション資料保持部内では複製できないプレゼンテーション資料組立システムを提供する。
【００２０】
また上記特徴に加えて、プレゼンテーション画面選択受付部は、プレゼンテーション画面そのものをアイコンに利用したアイコン利用選択手段を有するプレゼンテーション資料組立システムを提供する。
【００２１】
また上記特徴に加えて、プレゼンテーション画面保持部のプレゼンテーション画面の変更、追加、削除をするための編集部をさらに有するプレゼンテーション資料組立システムを提供する。
【００２２】
また上記特徴に加えて画面選択順位情報を外部より取得する画面選択順位情報取得部と、取得した画面選択順位情報を画面選択順位情報保持部に記録する画面選択順位情報記録部と、をさらに有するプレゼンテーション資料組立システムを提供する。
【発明の効果】
【００２３】
上記のようなプレゼンテーション資料組立システムにより、作成者の意図に合わせた柔軟な資料作成を実行することが可能である。また、プレゼンテーション資料完成後に変更不可とする処理を実行することで、商品に関する重要事項の告知義務を果たしたエビデンスを提供できる資料作成が可能である。
【図面の簡単な説明】
【００２４】
【図１（Ａ）】実施例１のプレゼンテーション資料組立システムの利用者の操作画面を示す図
【図１（Ｂ）】実施例１のプレゼンテーション資料組立システムの利用者の操作画面を示す図
【図１（Ｃ）】実施例１のプレゼンテーション資料組立システムの利用者の操作画面を示す図
【図１（Ｄ）】実施例１のプレゼンテーション資料組立システムの利用者の操作画面を示す図
【図２】実施例１にかかるプレゼンテーション資料組立システムの機能的構成を示す図
【図３】実施例１におけるプレゼンテーション資料組立システムの処理の流れの一例を示すフローチャート
【図４】実施例１にかかるプレゼンテーション資料組立システムのハードウエア構成の一例を示す図
【図５】実施例２にかかるプレゼンテーション資料組立システムの処理の概要を示す図
【図６】実施例２にかかるプレゼンテーション資料組立システムの機能的構成を示す図
【図７】実施例２におけるプレゼンテーション資料組立システムの処理の流れの一例を示すフローチャート
【図８】実施例２にかかるプレゼンテーション資料組立システムのハードウエア構成の一例を示す図
【図９】実施例３にかかるプレゼンテーション資料組立システムの処理の概要を示す図
【図１０】実施例３にかかるプレゼンテーション資料組立システムの機能的構成を示す図
【図１１】実施例３にかかるプレゼンテーション資料組み立てシステムの処理の別の概要を示す図
【図１２】実施例３におけるプレゼンテーションサムネイル拡大表示部の処理の概要を示す図
【図１３】実施例３におけるプレゼンテーション資料組立システムの処理の流れの一例を示すフローチャート
【図１４】実施例３にかかるプレゼンテーション資料組立システムのハードウエア構成の一例を示す図
【図１５】実施例４にかかるプレゼンテーション資料組立システムの処理の概要を示す図
【図１６】実施例４にかかるプレゼンテーション資料組立システムの機能的構成を示す図
【図１７】実施例４におけるプレゼンテーション資料組立システムの処理の流れの一例を示すフローチャート
【図１８】実施例４にかかるプレゼンテーション資料組立システムのハードウエア構成の一例を示す図
【図１９】実施例５にかかるプレゼンテーション資料組立システムの処理の概要を示す図
【図２０】実施例５にかかるプレゼンテーション資料組立システムの機能的構成を示す図
【図２１】実施例５にかかるプレゼンテーション資料組立システムの処理の別の概要を示す図
【図２２】実施例５にかかるプレゼンテーション資料組立システムの別の機能的構成を示す図
【図２３】実施例５における画面選択順位情報編集拒否部の処理の概要を示す図
【図２４】実施例５におけるプレゼンテーション資料組立システムの処理の流れの一例を示すフローチャート
【図２５】実施例５にかかるプレゼンテーション資料組立システムのハードウエア構成の一例を示す図
【図２６】実施例６にかかるプレゼンテーション資料組立システムの機能的構成を示す図
【図２７（Ａ）】実施例６におけるプレゼンテーション資料組立システムの処理の流れの一例を示すフローチャート
【図２７（Ｂ）】実施例６におけるプレゼンテーション資料組立システムの処理の流れの一例を示すフローチャート
【図２８】実施例６にかかるプレゼンテーション資料組立システムのハードウエア構成の一例を示す図
【図２９】実施例７にかかるプレゼンテーション資料組立システムの機能的構成を示す図
【図３０（Ａ）】実施例７におけるプレゼンテーション資料組立システムの処理の流れの一例を示すフローチャート
【図３０（Ｂ）】実施例７におけるプレゼンテーション資料組立システムの処理の流れの一例を示すフローチャート
【図３０（Ｃ）】実施例７におけるプレゼンテーション資料組立システムの処理の流れの一例を示すフローチャート
【図３１】実施例７にかかるプレゼンテーション資料組立システムのハードウエア構成の一例を示す図
【図３２（Ａ）】実施例１および実施例３における「階層的な目次」の概要を示す図
【図３２（Ｂ）】実施例１および実施例３における「階層的な目次」の概要を示す図
【図３２（Ｃ）】実施例１および実施例３における「階層的な目次」の概要を示す図
【発明を実施するための形態】
【００２５】
以下、本件発明の実施の形態について、添付図面を用いて説明する。なお、実施例と請求項の相互の関係は以下の通りである。実施例１は主に請求項１ないし４、１６および２３に関し、実施例２は主に請求項５に関する。実施例３は主に請求項６および７、１７および１８、２４および２５に関し、実施例４は主に請求項８、１９、２６に関し、実施例５は主に請求項９および１０、２０および２１、２７および２８に関し、実施例６は請求項１１ないし１３、２２、２９に関し、実施例７は請求項１４および１５に関する。本件発明は、これら実施例に何ら限定されるべきものではなく、その要旨を逸脱しない範囲において、種々なる態様で実施し得る。
【実施例１】
【００２６】
＜概要＞
図１（Ａ）から（Ｄ）は本実施例のプレゼンテーション資料組立システムの利用者の操作画面を示す図である。図１（Ａ）から（Ｄ）は、プレゼンテーション組立が進むにしたがって現れる利用者の利用画面遷移の一例を示している。本システムにおいては階層的に選択肢を選択しながら最終的に金融商品等（生命保険、各種損害保険、各種年金、投資信託、株式投資、商品投資、国債、外貨預金、社債など）の営業のためのプレゼンテーションに利用するプレゼンテーション画面が選択可能に構成されている。つまり選択を一通り終えたのちにはプレゼンテーション画面の集合が一つのタイトルを有するファイルとして記録される。図１（Ａ）では、組立てがすでに完了し保存されて利用や内容確認が可能なプレゼンテーション資料のタイトルが並んでいる。この画面の右上には、「追加」ボタン（０１０１）が表示されており、利用者がこれを押下することによりプレゼンテーション資料の組立開始命令を本システムが受け付けるように構成されている。組立開始命令を本システムが受け付けると図１（Ｂ）に示すような画面に遷移する。当画面では、金融商品の必要性や、その内容を説明するために重要と考えられる項目が目次として選択可能に並んでいる。金融商品の種類や、プレゼンテーションをする相手の属性（年齢、性別、職業、住居地域、家族構成など）に応じて利用者が適宜、自身が考えるプレゼンテーションのしやすさや効率性に基づいて選択を行う。例えば、就職したての男性がプレゼンテーションの相手であれば、これから生じるライフイベントは重要な説明事項である。
【００２７】
図１（Ｃ）は例えば図１（Ｂ）の選択画面にて「ライフイベント」という目次を選択することによって表示される選択画面である。この図にあるように「ライフイベント」という項目の内容を説明するために利用可能なプレゼンテーション資料を組立てるためのプレゼンテーション画面（０１０２、０１０３、０１０４、０１０５）が選択可能な状態で並んでいる。ここで、本実施例のプレゼンテーション資料組立システムは、アイコン利用選択手段（図示せず）を有していてもよい。すなわち、プレゼンテーション画面自体がアイコンになっており、プレゼンテーション画面の領域をマウスや指で選択すると、現在組立てが進んでいる金融商品等のプレゼンテーション資料のライフイベントの説明に利用する画面として右上のプレゼンテーション画面（０１０３）が直接選択されるといった態様である。なお、図１（Ｃ）にあるように右上の画面（０１０３）の領域をクリック等して選択すると、選択状態を示すアイコン（０１０６）が現れるように構成するとより選択がしやすくなる。このとき、選択された画面の識別情報と、選択された画面のプレゼンテーション資料に表れる順位とを関連付けし、画面選択順位情報として保持する。さらに画面（０１０３）の領域を再度クリックすると、選択が解除される。このとき、解除に応じて画面選択順位情報が変更される。このような選択を上の階層（図１（Ｂ））に行ったり来たりしながら繰り返し、最終的にすべてのプレゼンテーション画面の選択を終えると、最後に選択したプレゼンテーション画面の選択画面中の右上の「保存」ボタン（０１０７）を押下する。
【００２８】
図１（Ｃ）において、「保存」ボタン（０１０７）を押下すると、すべての画面の選択が完了する。このとき、画面選択順位情報が固定され固定選択順位情報となる。図１（Ｃ）における「保存」ボタンが押下されると次に、図１（Ｄ）の入力画面に自動的に遷移する。ここでは最初あるいは最後に選択したプレゼンテーション画面が一枚表示され、その画面が見える状態で組立終了したプレゼンテーション資料のタイトルの入力を受付ける。プレゼンテーション資料に適切な名称が付与されることを支援するために表示されている最初あるいは最後のプレゼンテーション画面を見ながらこの画面における「保存」ボタン（０１０８）を押下すると名称が確定し、組立てられたプレゼンテーション資料として記憶領域に格納される。そして、図１（Ａ）の保存しているタイトルの一つとして表示されるようになるとともに、再度の編集が不能となる。再度の編集とは、プレゼンテーション資料の削除、内容の部分削除、内容の追加、名称の変更などの一以上である。
【００２９】
組立てられたプレゼンテーション資料は、格納されたプレゼンテーション資料を、固定された画面選択順位情報により表示することによって利用される。
【００３０】
以下では、本実施例のプレゼンテーション資料組立システムの機能及び処理の流れ、並びにハードウエアの内容について、詳細に説明する。なお、以下に記載する本システムの機能ブロックは、ハードウエア及びソフトウェアの組み合わせとして実現され得る。具体的には、コンピュータを利用するものであれば、ＣＰＵ（中央演算装置）や主メモリ、バス、あるいは二次記憶装置（ハードディスクドライブや不揮発性メモリ、ＣＤやＤＶＤなどの記憶メディアとそれらメディアの読取ドライブなど）、情報入力に利用されるキーボードやマウス等の入力デバイス、印刷機器やディスプレイ等の表示装置、その他の外部周辺装置などのハードウエア構成部、またその外部周辺装置用のインターフェース、通信用インターフェース、それらハードウエアを制御するためのドライバプログラムやその他アプリケーションプログラム、ユーザインタフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウエアやソフトウェアを制御するための命令が生成されたりする。あるいは本システムの機能ブロックは専用ハードウエアによって実現されても良い。
【００３１】
また、この発明はシステムとして実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
【００３２】
＜機能的構成＞
図２は、本実施例にかかるプレゼンテーション資料組立システムの機能的構成を示す図である。本実施例にかかる「プレゼンテーション資料組立システム」（０２００）は、「組立開始命令受付部」（０２０１）と、「プレゼンテーション画面保持部」（０２０２）と、「プレゼンテーション画面選択受付部」（０２０３）と、「画面選択順位情報保持部」（０２０４）と、「選択解除部」（０２０５）と、「画面選択順位情報変更部」（０２０６）と、「更新不可部」（０２０７）と、「名称入力受付部」（０２０８）と、「変更不可部」（０２０９）と、「プレゼンテーション資料保持部」（０２１０）と、「プレゼンテーション画面表示部」（０２１１）と、を有する。
【００３３】
「組立開始命令受付部」（０２０１）は、一のプレゼンテーション資料の組立の開始命令を受付ける機能を有する。「プレゼンテーション資料」とは、所定の順序で構成要素であるプレゼンテーション画面の表示を切り替えて行うことにより、情報伝達等を行う媒体である。画面の内容情報と画面の表示順序を保持する選択順位情報とからなる。「組立」とは、表示させるプレゼンテーション画面を選択し、その画面を表示させる順位を定めることを指す。「開始命令」とは、新たな資料の組立を始めるための命令であり、これに伴って、画面や選択順位情報を格納する記憶域が確保される。図１（Ａ）によると、「追加」ボタン（０１０１）により当該命令が実行される。組立の開始命令が受けつけられると、後述の「プレゼンテーション画面選択受付部」（０２０３）にトリガが送られ、同部による選択受付処理が開始される。当部の機能は主に、ＣＰＵとＲＡＭと、ＣＰＵにて実行される組立開始命令受付プログラムと、マウスやキーボード等の入力デバイスと、ディスプレイ等の表示装置により実現される。
【００３４】
「プレゼンテーション画面保持部」（０２０２）は、プレゼンテーション資料を組立てるために利用可能なプレゼンテーション画面を複数保持する機能を有する。プレゼンテーション画面については端末等に一か所の記憶域に保持されているだけでなく、ネットワーク上に分散して配置されていてもよい。またさらに、プレゼンテーション画面を構成する画像や図形などのコンポーネントも分散配置されていてもよい。当部の機能は主に、画面データを格納する記憶域や、画面データがデータベースに格納されている場合にはＣＰＵにて実行されるＤＢＭＳ（ＤａｔａＢａｓｅ  Ｍａｎａｇｅｍｅｎｔ  Ｓｙｓｔｅｍ）などのプログラムにより実現される。
【００３５】
なお、プレゼンテーション画面保持部（０２０２）に保持されているプレゼンテーション画面を変更、追加、削除することが可能である「編集部」（図示せず）を含む構成であってもよい。プレゼンテーション画面は、ネットワーク上で通信可能なプレゼンテーション画面サーバなどから通信で取得する。取得はプッシュの場合とプルの場合があってよい。プレゼンテーション画面サーバにおける新規のプレゼンテーション画面の追加は、社会的なトピックスの発生等に応じて追加される。社会的なトピックスの発生とは法律や政令の改正、為替、株価、社債、国債、銀行預け入れ利子などの変動、平均寿命、疾病の傾向、天候不順、天災、災害の発生などの情報、政治組織の変化、与野党の入れ替え、貿易摩擦、戦争の勃発などの情報、に応じて追加される。これらの情報は、社会的なインパクトが大きく、個人の生活に大きな影響を与えるからである。また、追加されるプレゼンテーション画面は、これらのプレゼンテーション画面の新規追加となる理由に応じてすでに準備されている階層的インデックスに組み込み可能な場合には、その階層情報を関連付けて追加される。これによって階層的な目次からプレゼンテーション画面を選択する道が決定される。また従来の階層的インデックスに組み込み不可である場合には最上位階層を一つ追加して階層的なインデックス自体を変更して追加することが可能である。編集部の機能はＣＰＵとＲＡＭ、ＣＰＵにて実行される編集プログラム、さらに入力デバイスであるキーボード、マウス等のＵ／Ｉ、画面表示を行うディスプレイ等により実現される。
【００３６】
「プレゼンテーション画面選択受付部」（０２０３）は、組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付ける機能を有する。「階層的な目次」とは、プレゼンテーション画面を所定の基準で分類し、その分類ごとに名称を付与することで選択可能としたものである。図１（Ｂ）に示すように、「ライフイベント」、「年金」、「資産運用」等が分類名称にあたり、この分類を選択していくことにより、選択するプレゼンテーション画面に到達することが可能である。階層は複数設定されていてもよい。例えば「ライフイベント」の下にさらに「卒業」、「結婚」、「出産」等の分類を選択可能な構成としていてもよい。プレゼンテーション画面が選択されるとその選択されたプレゼンテーション画面識別情報が後述の画面選択順位情報保持部（０２０４）に対して出力される。当部の機能は主に、ＣＰＵとＲＡＭ、ＣＰＵにて実行されるプレゼンテーション画面選択受付プログラムや、キーボード、マウスなどの入力デバイス、ディスプレイ等の表示デバイスにより実現される。
【００３７】
「階層的な目次」とは、複数の選択項目を並べた最上位層の目次があり、最上位層の目次のいずれかの項目を選択するとその選択された項目に属する選択可能な複数の項目からなる次層の目次がある、という構造を言う。ここで最上位層の目次は、図３２（Ａ）〜（Ｃ）が示すように並び順が一つのプレゼンテーションの標準的な流れに沿ってできており、場合によりこれが下層の目次でも同様に構成されていてもよい。そうするとプレゼンテーション資料の組立の際には多数のプレゼンテーション画面を右往左往しながら眺めて組立てなくとも、目次のおぜん立てに従って選択してゆけば自然と適切な順番でプレゼンテーション画面が選択される。つまり、階層的な目次とすることによって無作為に並んだプレゼンテーション画面を選択するという労力から解放されて容易に効果的なプレゼンテーション資料を組み立てられるというメリットを享受できる。
【００３８】
「プレゼンテーションの標準的な流れ」は、プレゼンテーションをする内容に応じて変わってくるが、例えば金融商品や保険商品などの営業に利用するプレゼンテーションの場合には、人の一生の間に、必ず訪れるであろうイベントに対する備え、次に、万一のイベント発生のためにしておかなければならないことに対する備え、できればしておきたい備えのように必要性が高いものから順に最上位層の目次を並べることが考えられる。
【００３９】
どのようにこの階層的な目次を構成するかは、このプレゼンテーション資料組立システムの設計者のアイデアによるが、目次を階層的とすることによって、設計者の意図に合致したプレゼンテーション資料が組み立てられる蓋然性を高くすることができる。特に最上位層の複数の項目を並び順に順次選択し、その下層からプレゼンテーション画面を選び、その下層でのプレゼンテーション画面の選択を終えたところで再度最上位層に戻って同じことを繰り返させることで、自然とストーリーだったプレゼンテーションの組立が可能となる。
【００４０】
プレゼンテーション画面の選択は、画面に表示された識別子をマウス等のＵ／Ｉで選択状態とすることで実行される。識別子は種々の態様が考えられ、チェックボックスを選択するものや、画面を説明する文字列を選択するものや、画面に対応したアイコンを選択するもの、プレゼンテーション画面そのものをアイコンとしてこれを選択するもの等が考えられる。
【００４１】
さらに、プレゼンテーション画面の選択は、一のプレゼンテーション資料の中で同じプレゼンテーション画面は一度のみ使用することができ、複数回使用することはできない。このような構成をとるのは、告知事項などを重複なく伝達するためである。これにより、説明が必要な告知事項を効率的に伝達することが可能となる。
【００４２】
「画面選択順位情報保持部」（０２０４）は、選択されたプレゼンテーション画面を識別するプレゼンテーション画面識別情報と、そのプレゼンテーション画面の前記開始命令受付後の受け付けた選択順位を示す情報である順位情報と、を関連付けた情報である画面選択順位情報を保持する機能を有する。プレゼンテーション画面選択受付部（０２０３）において画面が選択された際に、プレゼンテーション画面識別情報を入力として受け取る。受け取った識別情報と共に、同じく記憶域に保持されている選択順位情報を示すカウンタの値を識別情報と関連付けて画面選択順位情報としてＲＡＭなどの記憶域に格納し、カウンタの値をインクリメントする。当部の機能は主にＣＰＵとＲＡＭ、ＣＰＵにて実行される画面選択順位情報格納プログラムや、不揮発性メモリなどで実現される。
【００４３】
「選択解除部」（０２０５）は、選択されたプレゼンテーション画面の選択を解除する機能を有する。具体的には外部からの入力を受け付け、選択されたプレゼンテーション画面の選択状態を解除する。例えば図１（Ｃ）において選択状態となっているプレゼンテーション画面（０１０３）を、再度クリック等を行い選択状態から非選択状態に移行させるなどの処理を行う。この処理に伴って、画面選択順位情報変更部（０２０６）に選択解除を行った画面識別情報を出力する。当部は主にＣＰＵとＲＡＭ、ＣＰＵにて実行される選択解除プログラムにより実現される。
【００４４】
「画面選択順位情報変更部」（０２０６）は、解除に応じて画面選択順位情報を変更する機能を有する。具体的には、選択解除部（０２０５）より、選択解除を行ったプレゼンテーション画面識別情報を入力として受け取り、画面選択順位情報保持部（０２０４）に保持されている画面選択順位情報のなかから該当するプレゼンテーション画面識別情報を削除あるいは無効化し、関連付けられている画面選択順位情報を変更する。変更は例えば選択解除されたプレゼンテーション画面の画面選択順位が「３」であった場合に選択順位が「３」の画面選択順位情報を削除し、以降の順位を一つ繰り上げるといった処理を実行する。あるいは、選択順位が「３」の画面選択順位情報を無効化するといった処理でもよい。当部は主にＣＰＵとＲＡＭ、ＣＰＵにて実行される画面選択順位情報変更プログラムによって実現される。
【００４５】
「更新不可部」（０２０７）は、入力に基づいて保持されている画面選択順位情報を更新不可として固定選択順位情報とする機能を有する。具体的にはＲＡＭ上の所定のアドレスに保持されている画面選択順位情報を複製し、他のアドレスに固定選択順位情報として格納するといった処理を実行する。図１（Ｃ）において「保存」ボタン（０１０７）を押下することでこの処理が開始される。この処理により、プレゼンテーション画面の表示順序が確定し、以後の順位の変更は不可能となる。当部の機能は主にＣＰＵとＲＡＭ、ＣＰＵにて実行される更新不可プログラムや、キーボード、マウス等のＵ／Ｉにより実現される。
【００４６】
「名称入力受付部」（０２０８）は更新不可部（０２０７）によって選択順位情報の更新が不可とされた固定選択順位情報に関連付ける名称の入力を受付ける機能を有する。具体的には、キーボード、マウス等のＵ／Ｉにより名称の入力を受け付け、固定選択順位情報と関連付けるためにＲＡＭ等の記憶域に一時的に名称を格納するといった処理を実行する。当該処理は例えば、図１（Ｄ）においてタイトル入力フォーム（０１０９）に名称を入力することで開始され、「保存」ボタン（０１０８）を押下することで完了する。当部の機能はＣＰＵとＲＡＭ、ＣＰＵにて実行される名称入力受付プログラムや、キーボード、マウス等のＵ／Ｉにより実現される。
【００４７】
「変更不可部」（０２０９）は入力に基づいて名称を変更不可とし、組立てられたプレゼンテーション資料とする機能を有する。図１（Ｄ）において「保存」ボタン（０１０８）を押下することがトリガとなって変更不可処理を実行する。具体的には名称入力受付部（０２０８）から入力された名称を、更新不可部（０２０７）より固定選択順位情報を受け取り、入力された名称と固定選択順位情報とを関連付けてプレゼンテーション資料として、後述するプレゼンテーション資料保持部（０２１０）に対して出力するといった処理を実行する。当部の機能はＣＰＵとＲＡＭ、ＣＰＵにて実行される変更不可プログラムにより実現される。
【００４８】
「プレゼンテーション資料保持部」（０２１０）は変更不可とされたプレゼンテーション資料を保持する機能を有する。具体的には、変更不可部（０２０９）よりプレゼンテーション資料の入力を受け、記憶域に格納し、保持する。当部は資料を作成した端末上に存在していてもよいが、ネットワーク上に存在するサーバ装置に存在していてもよい。また一か所に集中して保持されていてもよいし、複数の端末やサーバ上に分散して配置され、保持されていてもよい。当部の機能はＣＰＵとＲＡＭ、ＨＤＤなどの不揮発性メモリ等で実現される。
【００４９】
このように本発明では、プレゼンテーション資料を変更不可とすることで、作成された資料の内容が固定される点が特徴として含まれる。変更不可とする処理により、以後資料の内容の変更が不可能となり、修正するためには新たに組立開始命令を下して、別の名称にて資料の作成をする必要がある。このように変更を不可とするのは、保険契約や不動産取引、金融商品の購入契約等の場面において、重要事項の告知義務が法令などにより生じ、告知義務で伝達されるべき情報が契約等を行う商品や顧客等により異なることで、これらの異なる情報が確実に対象とする顧客等に伝えられたというエビデンスが必要となるからである。また、近年では紙媒体での資料の提供を行わず、電子媒体にて資料を提供する態様が一般的になりつつあるため、自由に資料を編集により改変できるとすると、その顧客にとって重要な告知事項を漏らしたり、不適切な情報を伝達したりしてしまう可能性が残り、エビデンスとしての適格性を欠くこととなるからである。
【００５０】
なお、プレゼンテーション資料保持部（０２１０）に保持されているプレゼンテーション資料はプレゼンテーション資料保持部では複製できない構成をとることも考えられる。上記の通り告知義務が生ずる情報は顧客や、対象となる商品等により異なり、プレゼンテーション資料はこれらを考慮に入れて個別に作成されるものである。中には顧客のプライバシーに関わるため秘匿すべき情報なども盛り込まれることもあることから、コピーが認められると誤って秘匿すべき情報を漏らしてしまうといった危険性を有する。このため、上記のようにあらかじめコピーを許可しない構成とするといったことも考えられる。
【００５１】
「プレゼンテーション画面表示部」（０２１１）は、変更不可部（０２０９）による変更不可後に保持されているプレゼンテーション資料の画面選択順位情報に従ってプレゼンテーション画面を表示する機能を有する。プレゼンテーション資料保持部（０２１０）に保持されているプレゼンテーション資料をＲＡＭに呼び出し、ＣＰＵにて実行されるプレゼンテーション画面表示プログラムにより資料をディスプレイ等の表示画面に表示する。その際、画面上に表示された矢印をタップする等、Ｕ／Ｉにより利用者がプレゼンテーション画面を順次表示させる。上記「画面表示」とは、表示された画面に対して利用者がキーボード等のＵ／Ｉで所定の情報を入力し、これに演算処理を実行してその結果を表示するといった処理も上記「画面表示」に含まれる。例えば、利用者が年齢をキーボードに入力すると、平均寿命までの資産推移を計算してグラフにしてディスプレイに表示するなどといった処理等が可能である。
【００５２】
プレゼンテーション画面表示部（０２１１）は、変更不可部（０２０９）による変更不可処理の後でなければ動作しない。つまり、プレゼンテーション資料の作成中途で未完成のプレゼンテーション資料をプレビューすることができない。このような制限を設けるのは、作成中途で顧客等に対してプレビューするようなプレゼンテーションの類似行為を禁ずるためである。作成中途のプレゼンテーション資料では必要な告知事項が未だ含まれていない場合があり、告知義務を果たすべきエビデンスとしての役割を遂行することの保証ができないためである。また、プレゼンテーション画面表示は、プレゼンテーション画面をスキップしながら表示することはできない。重要事項の告知を担保する趣旨である。
【００５３】
プレゼンテーション画面表示部（０２１１）ではプレゼンテーション資料の表示による閲覧履歴をログなどにより残すことが可能である構成が望ましい。この構成によると、例えば閲覧履歴として、誰が、いつ、どの資料を表示することにより閲覧したかを保存するといった処理が可能である。さらに、画面表示を行う端末のＧＰＳ機能などを使用することにより、どこで表示を実行したかについても保存することが可能となる。これにより、ある商品に重要事項の告知義務がある場合に、その説明のためのプレゼンテーション資料の閲覧履歴を残すことにより、確かに告知を行ったというエビデンスを残すことが可能となる。なお、万一プレゼンテーション画面の表示が何らかの原因で不具合が生じ、システムを強制終了することになった場合にはこれを履歴に残すことで、プレゼンテーション資料の説明が不完全であった、すなわち告知が必要な事項の説明をすべて終えていないということが分かるようにすることが可能である。
【００５４】
＜処理の流れ：プレゼンテーション資料組立の実行＞
図３は、本実施例にかかるプレゼンテーション資料組立システムを用いてプレゼンテーション資料の組立を実行する場合の処理の流れの一例を示すためのフローチャートである。まず、一のプレゼンテーション資料の組立の開始命令を受付ける（ステップＳ０３０１）。次に、組立開始命令を受付けた場合に、プレゼンテーション画面保持部中で、階層的な目次によって一のプレゼンテーション資料を組立てるために、いったん選択して後記選択解除処理（ステップＳ０３０４）で選択解除されたか、又は、一度も選択されていない未選択のプレゼンテーション画面の選択を受付ける（ステップＳ０３０２）。次に、選択されたプレゼンテーション画面の選択を解除するか否かの判断を行う（ステップＳ０３０３）。解除をしない場合にはプレゼンテーション画面の選択受付が終了したか否かの判断を実行する（ステップＳ０３０５）。解除をする場合には、選択を解除して、その解除に応じて画面選択順位情報を変更し（ステップＳ０３０４）、プレゼンテーション画面の選択受付が終了したか否かの判断を実行する（ステップＳ０３０５）。選択受付を終了しない場合にはプレゼンテーション画面の選択受付を実行する処理（ステップＳ０３０２）に戻る。選択受付を終了する場合には次の、入力に基づいて保持されている画面選択順位情報を更新不可として固定選択順位情報とする処理（ステップＳ０３０６）を実行する。次に、更新不可ステップによって選択順位情報の更新が不可とされた固定選択順位情報に関連付ける名称の入力を受付ける（ステップＳ０３０７）。名称の入力を受け付けたら、入力に基づいて名称を変更不可とし、組立てられたプレゼンテーション資料として（ステップＳ０３０８）組立処理は終了する。
＜処理の流れ：プレゼンテーション資料の表示＞
組立処理が終了し、完成したプレゼンテーション資料は、変更不可ステップによる変更不可後に保持されているプレゼンテーション資料の画面選択順位情報に従ってプレゼンテーション画面を表示する（プレゼンテーション画面表示ステップ）。上記記載の通り、「表示」には利用者が入力した情報に基づいて演算処理を実行し、その演算結果を表示するといった処理も含まれる。
【００５５】
＜ハードウエア構成＞
図４は、本実施例にかかるプレゼンテーション資料組立システムのハードウエア構成の一例を示す図である。以下、この図を用いて説明する。
【００５６】
この図にあるように、本実施例にかかるプレゼンテーション資料組立システムは、各種演算処理を行う「ＣＰＵ（中央演算装置）」（０４０１）と、ＨＤＤなどの「不揮発性メモリ」（０４０２）と、揮発性の記憶媒体である「ＲＡＭ」（０４０３）を備えている。「ビデオカード」（０４０４）には「ディスプレイ」（０４０５）が接続されている。また、キーボード、マウスなどのポインティングデバイスなどが含まれる「Ｕ／Ｉ」（０４０６）、ＬＡＮなどのネットワークに接続するための「ネットワークＩ／Ｆ」（０４０７）を備えている。そして、それらが「システムバス」（０４０８）などのデータ通信経路によって相互に接続され、情報の送受信や処理を行う。
【００５７】
また、「ＲＡＭ」（０４０３）は、各種処理を行うプログラムを「ＣＰＵ」（０４０１）に実行させるために読み出すと同時にそのプログラムの作業領域でもあるワーク領域を提供する。また、このＲＡＭ（０４０３）にはそれぞれ複数のアドレスが割り当てられており、ＣＰＵ（０４０１）で実行されるプログラムは、そのアドレスを特定しアクセスすることで相互にデータのやりとりを行い、処理を行うことが可能になっている（本明細書を通じて同様である）。
【００５８】
まず、ＣＰＵ（０４０１）において１．組立開始命令受付プログラムが起動し、マウスやキーボード等のＵ／Ｉ（０４０６）から組立開始命令の入力を受け付ける。入力を受け付けると、２．プレゼンテーション画面選択受付プログラムがＣＰＵ（０４０１）にて実行状態となる。同プログラムは、不揮発性メモリ（０４０２）やＲＡＭ（０４０３）において複数の画面データが保持されているａ．プレゼンテーション画面データを読み込み、ビデオカード（０４０４）を介してディスプレイ（０４０５）に選択可能状態のアイコンとして表示する。表示がされると、Ｕ／Ｉ（０４０６）によりプレゼンテーション画面の選択を、アイコンを選択することで受け付ける。このとき、一の画面がすでに選択状態となっているか否かの判断をｂ．選択フラグの値により判断を行う。ｂ．選択フラグの値が１であれば既に選択された状態を示すようなアイコンの表示（例えば図１（Ｃ）（０１０６））を行う。ｂ．選択フラグの値が０の場合であれば未選択、または一旦選択されて選択が解除された画面であるとして選択可能状態のアイコンで表示を行い、マウスクリック等のＵ／Ｉ（０４０６）による選択動作を受け付ける。選択を受け付けると当該画面のｂ．選択フラグの値を０から１に変更する。これと共に、ｂ．選択フラグの値が１である画面の識別情報と、受け付けた選択順位を示す情報である順位情報と、を関連付けた情報をｃ.画面選択順位データとしてＲＡＭ（０４０３）や不揮発性メモリ（０４０２）に格納する。なお、すでに選択された状態のアイコンをマウスクリック等とすると３．選択解除プログラムが起動しｂ．選択フラグの値が１から０に変更され、選択が解除され選択可能状態に戻る。選択が解除されると、同プログラムがｃ.画面選択順位データから選択解除に係る画面の識別情報を削除する。つぎに、４．画面選択順位情報変更プログラムが起動し、ｃ.画面選択順位データの中の削除された画面識別情報に関連付けられていた順位情報を削除し、削除された順位以降のｃ.画面選択順位データの選択順位を繰り上げるなどの処理を実行する。上記の画面選択受付処理が終了すると、５．更新不可プログラムがＣＰＵ（０４０１）において実行状態となり、Ｕ／Ｉ（０４０６）から更新不可処理の実行を受け付ける。実行を受け付けると、ＲＡＭ（０４０３）上に保持されているｃ.画面選択順位データを複製し、ｄ．固定選択順位データとしてＲＡＭ（０４０３）に格納する。次に、６．名称入力受付プログラムが実行状態となり、キーボード等のＵ／Ｉ（０４０６）より名称の入力を受け付ける、受け付けが完了すると７．変更不可プログラムが実行状態となり、受け付けた名称とｄ.固定選択順位データとを関連付けてｅ．プレゼンテーション資料としてＲＡＭ（０４０３）や不揮発性メモリ（０４０２）に格納する。
【００５９】
プレゼンテーション資料の表示処理は、ＣＰＵ（０４０１）にて実行される８．プレゼンテーション画面表示プログラムにより行われる。同プログラムは、ＲＡＭ（０４０３）や不揮発性メモリ（０４０２）に保持されているｅ．プレゼンテーション資料データを読み込み、データ内のｄ．固定選択順位データに従ってプレゼンテーション画面を、ビデオカード（０４０４）を介してディスプレイ（０４０５）に対して選択順位順に表示する。
【実施例２】
【００６０】
＜概要＞
図５は本実施例のプレゼンテーション資料組立システムの処理の概要を示す図である。この図にあるように、ネットワーク上のサーバＸ（０５０１）に画面選択順位情報（０５０２）が保持されている。端末はサーバＸ（０５０１）よりネットワークを介して画面選択順位情報（０５０２）を取得する。画面選択順位情報（０５０２）は、順位情報とプレゼンテーション画面識別情報とが関連付けて記載されている。選択順位１のプレゼンテーション画面１はサーバＡ（０５０３）上に配置されており、プレゼンテーション画面識別情報として画面１のＵＲＬ（ｈｔｔｐ：／／サーバＡ／画面１）が記載されている。同様に選択順位２としてサーバＢ（０５０４）上の画面２（ｈｔｔｐ：／／サーバＢ／画面２）が記載されている。選択順位３の画面は端末（０５０５）内のＨＤＤに保持されており、プレゼンテーション画面識別情報としローカルパスを示すＵＲＬ（ｆｉｌｅ：／／／Ｃ：／画面３）が記載されている。このように、本実施例のプレゼンテーション資料組立システムは、端末が画面選択順位情報を、ネットワーク等を介して外部より取得することにより、プレゼンテーション資料の組立を実行することが可能である。なお、図５に示すようにプレゼンテーション画面は画面選択順位情報を取得する端末内にとどまらず外部のサーバに配置されていてもよい。このように画面選択順位情報をネットワーク上でやり取り可能とすることで、一度に多数の端末に対して同一のプレゼンテーション資料の素材を提供することができる。提供を受けたそれぞれの端末上ではプレゼンテーション資料の提供時の構成をベースとして、プレゼンテーション画面を追加、削除したり、各プレゼンテーション画面に対してカスタマイズを実行したりすることで、最適化されたプレゼンテーション資料を作成することができる。例えば、本部より一の画面選択順位情報を各地域拠点に向けて配信をし、各拠点においてその地域や顧客に合わせたプレゼンテーション資料の組立を実行することが可能である。
【００６１】
＜機能的構成＞
図６は、本実施例にかかるプレゼンテーション資料組立システムの機能的構成を示す図である。本実施例にかかるプレゼンテーション資料組立システム（０６００）は、「組立開始命令受付部」（０６０１）と、「プレゼンテーション画面保持部」（０６０２）と、「プレゼンテーション画面選択受付部」（０６０３）と、「画面選択順位情報保持部」（０６０４）と、「選択解除部」（０６０５）と、「画面選択順位情報変更部」（０６０６）と、「更新不可部」（０６０７）と、「名称入力受付部」（０６０８）と、「変更不可部」（０６０９）と、「プレゼンテーション資料保持部」（０６１０）と、「プレゼンテーション画面表示部」（０６１１）と、を有する。これらの構成については上記実施例にて説明済みであるので記載は省略する。本実施例のプレゼンテーション資料組立システムの特徴は上記構成に加え、「画面選択順位情報取得部」（０６１２）と、「画面選択順位情報記録部」（０６１３）と、を新たに有する点である。
【００６２】
「画面選択順位情報取得部」（０６１２）は画面選択順位情報を外部取得する機能を有する。具体的には、プレゼンテーション資料の組立を実行する端末等の外部より画面選択順位情報を取得する処理を実行する。例えばネットワーク上のサーバの記憶域に保持されている画面選択順位情報をダウンロードしたり、ＤＶＤやフラッシュメモリ等の記憶媒体よりインポートしたりといった処理を実行する。取得は、初めにすべての画面選択順位情報を取得してもよいし、画面ごとに順次、画面選択順位情報を取得してもよい。当部の機能は主にＣＰＵとＲＡＭと、ＣＰＵにより実行される画面選択順位情報取得プログラムやネットワークＩ／Ｆにより実現される。
【００６３】
「画面選択順位情報記録部」（０６１３）は、取得した画面選択順位情報を画面選択順位情報保持部に記録する機能を有する。具体的には、取得した画面選択順位情報をＲＡＭやＨＤＤなどの不揮発性メモリ等に格納する。当部の機能は主にＣＰＵやＲＡＭ、ＣＰＵにて実行される画面選択順位情報記録プログラムや、不揮発性メモリ等で実現される。
【００６４】
＜処理の流れ＞
図７は、本実施例にかかるプレゼンテーション資料組立システムを用いた場合の処理の流れの一例を示すためのフローチャートである。まず、一のプレゼンテーション資料の組立の開始命令を受付ける（ステップＳ０７０１）。次に、画面選択順位情報を取得（ステップＳ０７０２）し、取得した画面選択順位情報を記録する（ステップＳ０７０３）。取得し記録された画面選択順位情報は更新不可処理（ステップＳ０７０４）の実行前では編集可能であってもよい。この場合、新たにプレゼンテーション画面を選択したり、すでに選択されているプレゼンテーション画面を選択解除したり、といった処理（記載は省略）等を実行可能である。なお、これに伴って画面選択順位情報を変更する処理（記載は省略）が実行される。次にプレゼンテーション画面の選択受付が終了したか否かの判断（記載は省略）を実行し、選択受付を終了する場合には次の、取得に基づいて記録された画面選択順位情報を更新不可として固定選択順位情報とする処理（ステップＳ０７０４）を実行する。次に、更新不可ステップによって選択順位情報の更新が不可とされた固定選択順位情報に関連付ける名称の入力を受付ける（ステップＳ０７０５）。名称の入力を受け付けたら、入力に基づいて名称を変更不可とし、組立てられたプレゼンテーション資料として（ステップＳ０７０６）組立処理は終了する。
【００６５】
＜ハードウエア構成＞
図８は、本実施例にかかるプレゼンテーション資料組立システムのハードウエア構成の一例を示す図である。以下、この図を用いて説明する。
【００６６】
この図にあるように、本実施例にかかるプレゼンテーション資料組立システムは、各種演算処理を行う「ＣＰＵ（中央演算装置）」（０８０１）と、ＨＤＤなどの「不揮発性メモリ」（０８０２）と、揮発性の記憶媒体である「ＲＡＭ」（０８０３）を備えている。「ビデオカード」（０８０４）には「ディスプレイ」（０８０５）が接続されている。また、キーボード、マウスなどのポインティングデバイスなどが含まれる「Ｕ／Ｉ」（０８０６）、ＬＡＮなどのネットワークに接続するための「ネットワークＩ／Ｆ」（０８０７）を備えている。そして、それらが「システムバス」（０８０８）などのデータ通信経路によって相互に接続され、情報の送受信や処理を行う。
【００６７】
まず、ＣＰＵ（０８０１）において１．組立開始命令受付プログラムが起動し、マウスやキーボード等のＵ／Ｉ（０８０６）から組立開始命令の入力を受け付ける。次に、９．画面選択順位情報取得プログラムをＣＰＵ（０８０１）にて実行すると、ネットワークＩ／Ｆ（０８０７）を介して外部のサーバ等から画面選択順位データをダウンロードする。次に１０．画面選択順位情報記録プログラムがＣＰＵ（０８０１）にて実行され、取得したｃ．画面選択順位データをＲＡＭ（０８０３）上や不揮発性メモリ（０８０２）に格納する。ｃ．画面選択順位データとして格納する。この後、上記で記載済みである２．プレゼンテーション画面選択受付プログラムや３．選択解除プログラム、４．画面選択順位情報変更プログラム等の処理が実行されてもよい。次に、５．更新不可プログラムがＣＰＵ（０８０１）において実行状態となり、Ｕ／Ｉ（０８０６）から更新不可処理の実行を受け付ける。実行を受け付けると、ＲＡＭ（０８０３）上に保持されているｃ.画面選択順位データを複製し、ｄ．固定選択順位データとしてＲＡＭ（０８０３）に格納する。次に、６．名称入力受付プログラムが実行状態となり、キーボード等のＵ／Ｉ（０８０６）より名称の入力を受け付ける、受け付けが完了すると７．変更不可プログラムが実行状態となり、受け付けた名所とｄ.固定選択順位データとを関連付けてｅ．プレゼンテーション資料としてＲＡＭ（０８０３）や不揮発性メモリ（０８０２）に格納する。プレゼンテーション資料の表示処理は上記で記載済みである８．プレゼンテーション画面表示プログラムにより実行される。
【実施例３】
【００６８】
＜概要＞
図９は本実施例のプレゼンテーション資料組立システムの処理の概要を示す図である。この図の（Ａ）にあるように、同システムが利用者の選択操作によって選択受付画面で画面選択を受付ている際に、利用者が選択受付画面をフリックする。すると（Ｂ）に示すような画面に切り替わる。この画面は画面選択を受け付けた結果、保持されている画面選択順位情報に基づいた順序で並べられているプレゼンテーション画面のサムネイル表示である。このように選択された順にサムネイル表示することで、現在組み立てられているプレゼンテーション資料がどの順でどのプレゼンテーション画面を提示することになっているかを知ることができる。その結果、利用者はプレゼンテーションの流れを容易に把握することが可能となる。
【００６９】
＜機能的構成＞
図１０は、本実施例にかかるプレゼンテーション資料組立システムの機能的構成を示す図である。本実施例にかかるプレゼンテーション資料組立システム（１０００）は、「組立開始命令受付部」（１００１）と、「プレゼンテーション画面保持部」（１００２）と、「プレゼンテーション画面選択受付部」（１００３）と、「画面選択順位情報保持部」（１００４）と、「選択解除部」（１００５）と、「画面選択順位情報変更部」（１００６）と、を有する。これらの構成については上記実施例にて説明済みであるので「プレゼンテーション画面選択受付部」（１００３）以外については記載を省略する。本実施例のプレゼンテーション資料組立システムの特徴は上記構成に加え、「プレゼンテーションサムネイル画面表示部」（１０１４）を新たに有する点である。
【００７０】
「プレゼンテーション画面選択受付部」（１００３）は、組立開始命令を受付けた場合に、プレゼンテーション画面保持部中で、階層的な目次によって一のプレゼンテーション資料を組立てるために、いったん選択して後記選択解除部で選択解除されたか、又は、一度も選択されていない未選択のプレゼンテーション画面の選択を受付ける機能を有する。つまり、一度選択されたプレゼンテーション画面は、再度選択して一つのプレゼンテーションの異なる順番に二度出現することはできないように構成されている。このプレゼンテーションはストーリーに沿って説明をするためのものであるから同じ説明が一連のストーリーの中で繰り返されることによってストーリーが崩れる（無限ループに陥る）のを防止するためである。「階層的な目次」とは、複数の選択項目を並べた最上位層の目次があり、最上位層の目次のいずれかの項目を選択するとその選択された項目に属する選択可能な複数の項目からなる次層の目次がある、という構造を言う。ここで最上位層の目次は、図３２（Ａ）〜（Ｃ）が示すように、並び順が一つのプレゼンテーションの標準的な流れに沿ってできており、場合によりこれが下層の目次でも同様に構成されていてもよい。そうするとプレゼンテーション資料の組立の際には多数のプレゼンテーション画面を右往左往しながら眺めて組立てなくとも、目次のお膳立てに従って選択してゆけば自然と適切な順番でプレゼンテーション画面が選択される。つまり、階層的な目次とすることによって無作為に並んだプレゼンテーション画面を選択するという労力から解放されて容易に効果的なプレゼンテーション資料を組み立てられるというメリットを享受できる。
【００７１】
「プレゼンテーションの標準的な流れ」は、プレゼンテーションをする内容に応じて変わってくるが、例えば金融商品や保険商品などの営業に利用するプレゼンテーションの場合には、人の一生の間に、必ず訪れるであろうイベントに対する備え、次に、万一のイベント発生のためにしておかなければならないことに対する備え、できればしておきたい備えのように必要性が高いものから順に最上位層の目次を並べることが考えられる。
【００７２】
どのようにこの階層的な目次を構成するかは、このプレゼンテーション資料組立システムの設計者のアイデアによるが、目次を階層的とすることによって、設計者の意図に合致したプレゼンテーション資料が組み立てられる蓋然性を高くすることができる。特に最上位層の複数の項目を並び順になめるように選択し、その下層からプレゼンテーション画面を選び、その下層でのプレゼンテーション画面の選択を終えたところで再度最上位層に戻って同じことを繰り返させることで、自然とストーリーだったプレゼンテーションの組立が可能となる。なお、階層的な目次を利用してプレゼンテーションを組み立てるための利用マニュアルが本システムに含まれていることが好ましい。この利用マニュアルには、最上位階層の目次の最上位項目（例えば画面の選択可能項目中最も上方に示されている、あるいは同じく最も右方に示されている、あるいは同じく最も左方に示されているなど）から下層に進んでプレゼンテーション画面を選択したのちに、再び最上位層の目次の次項目から下層の項目に進んでプレゼンテーション画面を選択し、これを繰り返すことでプレゼンテーションを組み立てる使用方法が紹介されていることが好ましい。
【００７３】
「プレゼンテーションサムネイル画面表示部」（１０１４）は、選択されたプレゼンテーション画面のサムネイルであるプレゼンテーションサムネイル画面を選択された順に複数並べて表示する機能を有する。具体的には、画面選択順位情報保持部（１００４）より画面選択順位情報を、プレゼンテーション画面保持部（１００２）よりプレゼンテーション画面の情報をそれぞれ取得する。プレゼンテーション画面の情報は画面イメージと画面識別情報とからなっている。画面選択順位情報は順位情報と画面識別情報とが関連付けられているから、順位情報が示す順に関連付けられた画面識別情報を記憶域に配列し、それぞれの配列の要素が示す画面識別情報にかかるプレゼンテーション画面のイメージを取得する。取得されたイメージは配列の要素順に所定の画面領域に縮小され出力される。画面左側より右側へ選択受付された順にプレゼンテーション画面のサムネイル画像が配置されることにより、利用者は組み立てられたプレゼンテーション資料のプレゼンテーション画面の表示順を把握することが可能である。当部の機能は、ＣＰＵとＲＡＭ、タッチパネルディスプレイ等のＵ／Ｉ、ビデオカード、ＲＡＭに格納されＣＰＵに呼び出されて実行されるプレゼンテーションサムネイル画面表示プログラムにより実現される。
【００７４】
図９（Ｂ）では、サムネイルが選択順に左から右へ並べて表示され、サムネイル表示を左右スクロールさせることで選択受付されたすべてのプレゼンテーション画面を参照することができる。サムネイルが上から下へ並べて表示され、上下スクロールですべてのプレゼンテーション画面を参照する構成となっていても構わない。また、スクロールさせ、選択受付順が最後のプレゼンテーション画面を表示すると最終のプレゼンテーション画面であることを示す何らかの情報提示（スペースを空ける、ＥＮＤを表示する、音声アラームで知らせる、バーを設けるなど）次は選択受付順が最初のプレゼンテーション画面から表示するようにループとなっていてもよい。このようにループさせることによってタイムラグを置かず集中した状態でストーリー性を繰り返し見つめなおすことができるので、ストーリーのブラッシュアップが容易に行えるというメリットがある。また、表示画面内でサムネイル表示の帯が一列となっていなくともよく複数列となっており、左上から右下に選択順に表示される構成となっていたり、サムネイル表示の帯がつづら折り状となっていたりしてもよい。サムネイル表示中にサムネイル化されたプレゼンテーション画面の一つを（ダブル）クリックするとそのプレゼンテーション画面が拡大され表示されてもよい。サムネイル表示中にサムネイル化されたプレゼンテーション画面をドラッグアンドドロップすることでサムネイル中のプレゼンテーション画面の表示順序を入れ替えることで画面選択順位情報を変更することが可能な構成となっていてもよい。
【００７５】
サムネイル表示時に所定の操作を実行すると、そのサムネイル表示されたプレゼンテーション資料に類似のプレゼンテーション資料を検索し、同時または別画面に切り替えて表示可能な類似プレゼンテーション資料表示部（図示せず）を有していてもよい。類似性は二つの画面選択順位情報の類似性に基づいていてもよい。すなわち、両者のプレゼンテーション画面識別情報の配列を比較することで類似度を算出し、算出された類似度が高い順に並べて表示される構成であってもよい。算出の例としては、基準となるプレゼンテーション配列についてプレゼンテーション画面とその配列順位とを基準配列として保持し、他のプレゼンテーション資料のプレゼンテーション配列に用いられているプレゼンテーション画面が基準配列からずれている順位数の総和と、基準配列にあるがプレゼンテーションに用いられていない画面の数、逆に基準配列にはないプレゼンテーション画面の数、などを所定の条件で加重し、総和することによって基準配列からの非類似距離を算出して、この距離が短いほど類似度が高いなどと計算することができる。このような類似のプレゼンテーション資料の検索はネットワークを介して行なわれてもよく、類似するプレゼンテーション資料の表示や、その資料の作成者等の、種々の属性を表示可能な構成であってもよい。
【００７６】
上記＜概要＞の図９（Ａ）では、画面に対してフリック操作入力を行うことにより、プレゼンテーションサムネイル画面へ表示を切り替えるといった処理を実行しているが、これに限定されることは無く他の入力形態により切り替え処理を実行しても構わない。例えば画面上にボタンを配置してそのボタンをタップしたり、メニュー表示を呼び出したり、画面を長押ししたり、ダブルタップしたり、端末をシェイクしたり、といった操作による入力形態などが考えられる。
【００７７】
＜別の概要＞
図１１は本実施例のプレゼンテーション資料組み立てシステムの処理の別の概要を示している。この図にあるように、選択受付画面にプレゼンテーションサムネイル画面を同時に表示させている。このように選択受付中のプレゼンテーション画面を背後に同時に表示させておくことにより、利用者はプレゼンテーションサムネイル画面表示より選択受付画面に復帰した際に、プレゼンテーションサムネイル画面表示に切り替える前の状況を容易に把握でき、選択受付操作を続けることができるといった効果が得られる。
【００７８】
＜別の機能的構成＞
上記＜別の概要＞の処理を実行するために、上記＜機能的構成＞に加え、「同時表示部」（図示せず）が含まれるプレゼンテーション資料組み立てシステムとなる。
【００７９】
「同時表示部」は、プレゼンテーション画面選択受付部による選択受付画面と、選択された順に複数並べて表示されるプレゼンテーションサムネイル画面表示部によるプレゼンテーションサムネイル画面とを同一画面上に構成する機能を有する。「同一画面上に構成する」とは、図１１に示すような態様の他、プレゼンテーションサムネイル画面をオーバーレイする表示態様や、ワイプにより同画面を挿入する表示態様などが考えられるが、少なくともプレゼンテーションサムネイル画面を表示した際に、選択受付画面の一部が観察できる態様であればよい。当部の機能はＣＰＵとＲＡＭ、ＲＡＭに格納されＣＰＵに呼び出されて実行される同時表示プログラムにより実現される。
【００８０】
なお、同時表示部はプレゼンテーションサムネイル画面表示より選択受付画面に復帰する際に、同表示領域以外の同時に表示されている選択受付画面の領域をタップ等すること同表示を消去し、選択受付画面に復帰させることが可能な構成としてもよい。
【００８１】
同時表示部は、プレゼンテーションサムネイル画面を透過イメージとして表示させる構成であってもよい。透過イメージとなっていることで、背後に表示されている選択受付画面がより明瞭となることで、利用者はよりスムースに選択受付操作に復帰して選択受付操作を続けることが可能である。
【００８２】
また、本実施例のプレゼンテーション資料組立システムは、プレゼンテーションサムネイル画面表示中にプレゼンテーションサムネイルを拡大表示する「プレゼンテーションサムネイル拡大表示部」（図示せず）を有していてもよい。図１２に同部の処理の概要を示す。この図にあるように、プレゼンテーションサムネイル画面の表示中に、サムネイルの一つをタップすると、そのサムネイルがポップアップして拡大表示される。同システムはタップされた画面上の領域を取得し、どのプレゼンテーション画面のサムネイルの領域がタップされたかを特定する。特定されたプレゼンテーション画面のイメージを記憶域より呼び出し、所定の倍率でポップアップ表示を行う。当部の機能はＣＰＵとＲＡＭ、ＲＡＭに格納されＣＰＵに呼び出されて実行されるプレゼンテーションサムネイル拡大表示プログラムにより実現される。
【００８３】
＜処理の流れ：プレゼンテーション画面選択受付処理＞
図１３は、本実施例にかかるプレゼンテーション資料組立システムを用いてプレゼンテーション資料の組立を実行し、プレゼンテーション画面選択受付処理を実行した場合の処理の流れの一例を示すためのフローチャートである。まず、一のプレゼンテーション資料の組立の開始命令を受付ける（ステップＳ１３０１）。次に画面選択を受付ける（ステップＳ１３０２）。次に画面選択順位情報を記録する（ステップＳ１３０３）。なお、ステップＳ１３０２とステップＳ１３０３の間には、プレゼンテーション画面の選択解除を行う選択解除処理などが介在してもよい。画面選択順位情報を記録すると、選択受付が終了したか否かの判断を行う（ステップＳ１３０４）。判断の結果、終了の場合には選択受付処理は完了する。終了でない場合には、所定の操作を検出したか否かの判断を行う（ステップＳ１３０５）。画面をフリックする等の所定の操作を検出しない場合には、引き続きプレゼンテーション画面の選択受付（ステップＳ１３０２）処理を実行する。所定の操作を検出した場合には、プレゼンテーションサムネイル表示画面を表示する（ステップＳ１３０６）。表示されたのち、復帰操作を検出した否かの判断を行う（ステップＳ１３０７）。復帰操作を検出しない場合には引き続きプレゼンテーションサムネイル画面表示を継続する。復帰操作を検出した場合には、プレゼンテーション画面選択の受付処理（Ｓ１３０２）に戻る。なお、プレゼンテーションサムネイル表示画面を表示する処理は、選択受付が終了した後に実行されてもよい。
【００８４】
＜ハードウエア構成＞
図１４は、本実施例にかかるプレゼンテーション資料組立システムのハードウエア構成の一例を示す図である。以下、この図を用いてプレゼンテーションサムネイル画面の表示処理について説明する。
【００８５】
この図にあるように、本実施例にかかるプレゼンテーション資料組立システムは、各種演算処理を行う「ＣＰＵ（中央演算装置）」（１４０１）と、ＨＤＤなどの「不揮発性メモリ」（１４０２）と、揮発性の記憶媒体である「ＲＡＭ」（１４０３）を備えている。「ビデオカード」（１４０４）には「ディスプレイ」（１４０５）が接続されている。また、キーボード、マウスなどのポインティングデバイスなどが含まれる「Ｕ／Ｉ」（１４０６）、ＬＡＮなどのネットワークに接続するための「ネットワークＩ／Ｆ」（１４０７）を備えている。そして、それらが「システムバス」（１４０８）などのデータ通信経路によって相互に接続され、情報の送受信や処理を行う。
【００８６】
初期状態では２．プレゼンテーション画面選択受付プログラムが起動しており、Ｕ／Ｉ（１４０６）により画面選択の受付処理を実行している。ここで、Ｕ／Ｉ（１４０６）に対して所定の入力がされると割り込みが生じ、１１．プレゼンテーションサムネイル画面表示プログラムがＲＡＭ（１４０３）より呼び出されＣＰＵ（１４０１）にて実行される。同プログラムは、ＲＡＭ（１４０３）または不揮発性メモリ（１４０２）上に保持されているｃ．画面選択順位データを読み込む。ｃ．画面選択順位データは配列変数となっており、配列のインデックスが順位データ、配列の要素がプレゼンテーション画面識別データとなっている。また、ａ．プレゼンテーション画面データは画面識別データをキー、プレゼンテーション画面イメージデータを要素とする配列などとなっている。同プログラムは、まずｃ．画面選択順位データの先頭の要素ｃ（０）を参照し、プレゼンテーション画面識別値ｘを取得する。次に、ＣＰＵ（１４０１）においてＲＡＭ（１４０３）内のａ．プレゼンテーション画面データのキー値を走査してキー値がｘである要素を探索する。その結果ヒットしたキー値がｘの要素ａ［ｘ］（キー値がｘのプレゼンテーション画面データ）をＲＡＭ（１４０３）上に格納する。この処理をｃの要素の数、すなわち選択受付された画面の数だけ繰り返す。格納されたデータは同プログラムにより格納された順に、画面の所定の位置に配置されるべく、ビデオカード（１４０４）を介してディスプレイ（１４０５）に出力され、表示される。
【００８７】
再び、Ｕ／Ｉ（１４０６）に対して所定の入力、例えば画面のフリック操作がされると割り込みが生じ、プレゼンテーションサムネイル画面表示からプレゼンテーション画面選択受付画面に切り替わり、２．プレゼンテーション画面選択受付プログラムが再度ＣＰＵ（１４０１）において実行状態に復帰する。
【実施例４】
【００８８】
＜概要＞
図１５は本実施例のプレゼンテーション資料組立システムの処理の概要を示す図である。この図が示すように、プレゼンテーション画面の選択受付中のプレゼンテーション画面が複数縮小して並べて表示されている。本実施例のプレゼンテーション資料組立システムは、これらのプレゼンテーション画面の一つをタップすると画面が切り替わり、タップされた領域にあるプレゼンテーション画面を拡大して表示するといった処理が可能である。このように、プレゼンテーション画面選択受付中に縮小表示されているプレゼンテーション画面を拡大することにより、プレゼンテーション画面の内容を十分に把握したうえで選択受付処理を実行することが可能である。
【００８９】
＜機能的構成＞
図１６は、本実施例にかかるプレゼンテーション資料組立システムの機能的構成を示す図である。本実施例にかかるプレゼンテーション資料組立システム（１６００）は、「組立開始命令受付部」（１６０１）と、「プレゼンテーション画面保持部」（１６０２）と、「プレゼンテーション画面選択受付部」（１６０３）と、「画面選択順位情報保持部」（１６０４）と、「選択解除部」（１６０５）と、「画面選択順位情報変更部」（１６０６）と、「プレゼンテーションサムネイル画面表示部」（１６１４）と、を有する。これらの構成については上記実施例にて説明済みであるので記載は省略する。本実施例のプレゼンテーション資料組立システムの特徴は上記構成に加え、「プレゼンテーション画面拡大表示部」（１６１５）を新たに有する点である。
【００９０】
「プレゼンテーション画面拡大表示部」（１６１５）は、組立開始命令を受付けた場合に、プレゼンテーション画面保持部に保持されており、プレゼンテーション画面選択受付画面に表示されているプレゼンテーション画面を拡大表示する機能を有する。プレゼンテーション画面選択受付画面において、複数のプレゼンテーション画面が並べて表示され選択可能となっている。そのうちの一つのプレゼンテーション画面領域をタップすると、タップされたプレゼンテーション画面のプレゼンテーション画面識別情報をプレゼンテーション画面選択受付部（１６０３）より取得する。次に、取得されたプレゼンテーション画面識別情報にかかるプレゼンテーション画面イメージをプレゼンテーション画面保持部（１６０２）より取得して、所定の大きさで画面に表示する。当部の機能はＣＰＵとＲＡＭ、タッチパネルディスプレイ等のＵ／Ｉ、ビデオカード、ＲＡＭに格納されＣＰＵにて実行されるプレゼンテーション画面拡大表示プログラムにより実現される。
【００９１】
図１５に示す例では、タップされたプレゼンテーション画面を全画面表示に切り替えて表示する構成であるが、所定の大きさでオーバーレイ表示をしても構わない。また、拡大表示されたプレゼンテーション画面の領域をタップすると、プレゼンテーション画面選択受付画面に復帰するといった機能を有していてもよい。
【００９２】
＜処理の流れ：プレゼンテーション画面拡大表示処理＞
図１７は本実施例にかかるプレゼンテーション資料組立システムを用いて、プレゼンテーション画面の拡大表示処理を実行しつつ、プレゼンテーション画面選択受付処理を実行した場合の処理の流れの一例を示すためのフローチャートである。まず、一のプレゼンテーション資料の組立の開始命令を受付ける（ステップＳ１７０１）。次にプレゼンテーション画面選択を受付ける（ステップＳ１７０２）。この後で選択解除を実行したり、画面選択受付情報の記録や変更したりといった処理が介在するが記載は省略する。次いで画面選択受付処理が終了したか否かの判断を行う（ステップＳ１７０３）。終了したとの判断結果の場合には一連のプレゼンテーション画面選択受付処理が終了する。終了していないとの判断結果の場合には、タップ入力がされたか否かの判断を行う（ステップＳ１７０４）。タップ入力されていないとの判断結果の場合には再びプレゼンテーション画面選択受付処理に戻る。タップ入力されたとの判断結果の場合にはタップされた領域のプレゼンテーション画面の画面識別情報を取得し（ステップＳ１７０５）、取得された画面識別情報にかかるプレゼンテーション画面の拡大表示を実行する（ステップＳ１７０６）。拡大表示中に、再びタップ入力されたか否かの判断を行う（ステップＳ１７０７）。タップ入力されたと判断した場合には拡大表示を解除し選択受付画面に復帰する。タップ入力されていないとの判断結果であれば引き続き拡大表示を行う。
【００９３】
＜ハードウエア構成＞
図１８は、本実施例にかかるプレゼンテーション資料組立システムのハードウエア構成の一例を示す図である。以下、この図を用いてプレゼンテーション画面拡大表示処理について説明する。
【００９４】
この図にあるように、本実施例にかかるプレゼンテーション資料組立システムは、各種演算処理を行う「ＣＰＵ（中央演算装置）」（１８０１）と、ＨＤＤなどの「不揮発性メモリ」（１８０２）と、揮発性の記憶媒体である「ＲＡＭ」（１８０３）を備えている。「ビデオカード」（１８０４）には「ディスプレイ」（１８０５）が接続されている。また、キーボード、マウスなどのポインティングデバイスなどが含まれる「Ｕ／Ｉ」（１８０６）、ＬＡＮなどのネットワークに接続するための「ネットワークＩ／Ｆ」（１８０７）を備えている。そして、それらが「システムバス」（１８０８）などのデータ通信経路によって相互に接続され、情報の送受信や処理を行う。
【００９５】
初期状態では２．プレゼンテーション画面選択受付プログラムが起動しており、Ｕ／Ｉ（１８０６）により画面選択の受付処理を実行している。ここで、Ｕ／Ｉ（１８０６）に対して所定の入力、例えば画面のタップ操作がされると割り込みが生じ、１２．プレゼンテーション画面拡大表示プログラムがＲＡＭ（１８０３）より呼び出されＣＰＵ（１４０１）にて実行される。同プログラムは、２．プレゼンテーション画面選択受付プログラムより、タップされた領域の座標値を受け取りＲＡＭ（１８０３）に一時的に格納する。この座標値を元に、どのプレゼンテーション画面が表示された領域がタップされたかを特定し、そのプレゼンテーション画面の画面識別情報値ｙを取得し、ＲＡＭ（１８０３）上の所定のアドレスに格納する。次にｙの値をプレゼンテーション画面識別値として持っているａ．プレゼンテーション画面データの要素ａ[ｙ]を取得し、ビデオカード（１８０４）を介して、ディスプレイ（１８０５）上に拡大表示を行う。
【００９６】
再び、Ｕ／Ｉ（１８０６）に対して所定の入力、例えば画面のタップ操作がされると割り込みが生じ、プレゼンテーション画面表示からプレゼンテーション画面選択受付画面に切り替わり、２．プレゼンテーション画面選択受付プログラムが再度ＣＰＵ（１８０１）において実行状態に復帰する。
【実施例５】
【００９７】
＜概要＞
図１９は本実施例のプレゼンテーション資料組立システムの処理の概要を示す図である。図１９（Ａ）が示すように「教育」、「田中様」とタイトルがついた２つのプレゼンテーション資料がシステム内に保存されている。ここで、「田中様」の横にある複製ボタンをタップすると、図１９（Ｂ）のような画面に切り替わる。タイトルの欄に「鈴木様」と入力し、「複製する」ボタンをタップすると、タイトル「田中様」の資料が複製され、図１９（Ｃ）に示すように、新たにタイトル「鈴木様」の資料が生成される。
【００９８】
＜機能的構成＞
図２０は、本実施例にかかるプレゼンテーション資料組立システムの機能的構成を示す図である。本実施例にかかるプレゼンテーション資料組立システム（２０００）は、「組立開始命令受付部」（２００１）と、「プレゼンテーション画面保持部」（２００２）と、「プレゼンテーション画面選択受付部」（２００３）と、「画面選択順位情報保持部」（２００４）と、「選択解除部」（２００５）と、「画面選択順位情報変更部」（２００６）と、「プレゼンテーションサムネイル画面表示部」（２０１４）と、を有する。これらの構成については上記実施例にて説明済みであるので記載は省略する。本実施例のプレゼンテーション資料組立システムの特徴は上記構成に加え、「複製保持部」（２０１６）を新たに有する点である。
【００９９】
「複製保持部」（２０１６）は、保持されている画面選択順位情報を複製して画面選択順位情報保持部（２００４）に保持する機能を有する。具体的にはＵ／Ｉに対する入力により特定された、画面選択順位情報保持部（２００４）が確保している記憶域の所定のアドレスに格納されている画面選択順位情報を読み込み、同部の別アドレスに書き込む処理を実行する。同部の機能はＣＰＵやＲＡＭ、ＨＤＤ等の不揮発性メモリ、及び複製格納プログラムにより実現される。
【０１００】
＜別の概要＞
図２１は本実施例のプレゼンテーション資料組立システムの処理の別の概要を示す図である。図２１（Ａ）が示すように、タイトル「鈴木様」のプレゼンテーション資料の横にある修正ボタンをタップすると、図２１（Ｂ）のような画面に切り替わる。この画面では中央に「結婚費用の目安」、「出産・子育て費用の一例」…といったプレゼンテーション画面のタイトルが上から選択順位（呈示順序）の順に表示されている。左端の削除ボタンをタップすると、プレゼンテーション画面の削除が可能である。また、上方向矢印ボタンをタップすると選択順位が一つ繰り上がり、下方向矢印ボタンをタップすると選択順位が一つ繰り下がる。なお、右上のページ追加ボタンをタップすると、プレゼンテーション画面の追加が可能である。
【０１０１】
このように本実施例のプレゼンテーション資料組立システムは、＜概要＞で示した通り、既存のプレゼンテーション資料を複製し、＜別の概要＞で示した通りプレゼンテーション画面の選択順位を変更したり、プレゼンテーション画面保持部内に保持されているプレゼンテーション画面から追加したり、選択順位からプレゼンテーション画面を削除したりすることが可能である。これにより別個のプレゼンテーション資料を新たに構成することが可能である。これにより既存の資料を活用しつつ、顧客ごとにきめ細やかにカスタマイズされたプレゼンテーション資料の作成が可能である。
【０１０２】
＜別の機能的構成＞
図２２は、本実施例にかかるプレゼンテーション資料組立システムの機能的構成を示す図である。本実施例にかかるプレゼンテーション資料組立システム（２２００）は、「組立開始命令受付部」（２２０１）と、「プレゼンテーション画面保持部」（２２０２）と、「プレゼンテーション画面選択受付部」（２２０３）と、「画面選択順位情報保持部」（２２０４）と、「選択解除部」（２２０５）と、「画面選択順位情報変更部」（２２０６）と、「プレゼンテーションサムネイル画面表示部」（２２１４）と、を有する。これらの構成については上記実施例にて説明済みであるので記載は省略する。本実施例のプレゼンテーション資料組立システムの特徴は上記構成に加え、「画面選択順位情報編集部」（２２１７）を新たに有する点である。
【０１０３】
「画面選択順位情報編集部」（２２１７）は、画面選択順位情報保持部に保持されている画面選択順位情報を編集するための機能を有する。具体的には、画面選択順位情報保持部が確保している記憶域の、所定のアドレスに保持されている画面選択順位情報を読み込む。次に、Ｕ／Ｉで入力を受付けることにより特定された一のプレゼンテーション画面の選択順位を上げたり、下げたりする処理や、新たに選択順位にプレゼンテーション画面を追加したりする処理や、選択順位内のプレゼンテーション画面を削除したりする処理を実行し、記憶域の所定のアドレスに上書きする。当部の機能はＣＰＵとＲＡＭ、タッチパネルディスプレイ等のＵ／Ｉ、ビデオカード、ＲＡＭに格納されＣＰＵにて実行される画面選択順位情報編集プログラムにより実現される。
【０１０４】
なお本実施例のプレゼンテーション資料組立システムは、あらかじめ編集不可と指定された画面選択順位情報は編集操作を拒否する画面選択順位情報編集拒否部（図示せず）を有していてもよい。図２３では、「本部配布資料１」と、「田中様」と、「鈴木様」とのタイトルの３つのプレゼンテーション資料が表示されている。「田中様」と、「鈴木様」とのタイトルの右横には修正ボタンが配置されているが、「本部配布資料１」には修正ボタンが配置されていない。この「本部配布資料１」は配布される際に編集不可として配布されたプレゼンテーション資料である。具体的には、画面選択順位情報内に編集不可フラグを設定しており、このフラグが立っているプレゼンテーション資料については当部が編集を禁止するための処理を実行する。すなわち、図２３に示す、画面選択順位情報編集部により編集を受け付けるための画面を表示する前に、画面選択順位情報編集拒否部により前記フラグをチェックし、フラグが立っている場合には画面選択順位情報編集部に対して編集を拒否させるための信号を送信する。このように、プレゼンテーション資料の画面選択順位情報を編集拒否とする設定を可能とすることで、プレゼンテーション資料の内容の更改がされずにオリジナルのまま配布、流通させることが可能となるため、配布元は必須の情報を配布先の隅々までデータの公正性を保ったまま行き渡らせることが可能である。
【０１０５】
＜処理の流れ：プレゼンテーション資料の複製から画面選択順位情報の編集＞
図２４は本実施例にかかるプレゼンテーション資料組立システムを用いて、プレゼンテーション資料を複製し、複製により生成された新たなプレゼンテーション資料の画面選択順位情報を編集した場合の処理の流れの一例を示すためのフローチャートである。この図にあるように、まず複製するプレゼンテーション資料の選択を受け付ける（ステップＳ２４０１）。次に、画面選択順位情報を複製する（ステップＳ２４０２）。次に、複製により生成された新規プレゼンテーション資料の選択を受け付ける（ステップＳ２４０３）。最後に画面選択順位情報を受付（ステップＳ２４０４）て終了する。
【０１０６】
＜ハードウエア構成＞
図２５は、本実施例にかかるプレゼンテーション資料組立システムのハードウエア構成の一例を示す図である。以下、この図を用いてプレゼンテーション資料の複製から画面選択順位情報の編集処理までについて説明する。
【０１０７】
この図にあるように、本実施例にかかるプレゼンテーション資料組立システムは、各種演算処理を行う「ＣＰＵ（中央演算装置）」（２５０１）と、ＨＤＤなどの「不揮発性メモリ」（２５０２）と、揮発性の記憶媒体である「ＲＡＭ」（２５０３）を備えている。「ビデオカード」（２５０４）には「ディスプレイ」（２５０５）が接続されている。また、キーボード、マウスなどのポインティングデバイスなどが含まれる「Ｕ／Ｉ」（２５０６）、ＬＡＮなどのネットワークに接続するための「ネットワークＩ／Ｆ」（２５０７）を備えている。そして、それらが「システムバス」（２５０８）などのデータ通信経路によって相互に接続され、情報の送受信や処理を行う。
【０１０８】
まず、プレゼンテーション資料の複製処理について説明する。初期状態は、ディスプレイ（２５０５）に図２１（Ａ）のようなプレゼンテーション資料の選択を受け付ける画面が表示されている。Ｕ／Ｉ（２５０６）から所定の入力（複製ボタンをタップ等）を受け付けると、ＲＡＭ（２５０３）または不揮発性メモリ（２５０２）に格納されていた１３．複製格納プログラムがＣＰＵ（２５０１）に呼び出され、起動する。同プログラムはＲＡＭ（２５０３）上の所定のアドレスに格納された、複製元として指定されたｃ．画面選択順位データを読み込み、複製先として確保されたＲＡＭ（２５０３）上のアドレスに格納する。次いで、複製により新たに生成するプレゼンテーション資料の名称をＵ／Ｉ（２５０６）により受付け、複製により新たに生成された画面選択順位情報に関連付けてＲＡＭ（２５０３）上の所定のアドレスに格納する。
【０１０９】
次に、画面選択順位情報の編集処理について説明する。図２１（Ａ）のようなプレゼンテーション資料の選択を受け付ける画面においてＵ／Ｉ（２５０６）から所定の入力（修正ボタンをタップ等）を受け付けるとＲＡＭ（２５０３）または不揮発性メモリ（２５０２）に格納されていた１４．画面選択順位情報編集プログラムがＣＰＵ（２５０１）に呼び出され、起動する。同プログラムは、ＲＡＭ（２５０３）上の所定のアドレスに格納されている、修正の対象として指定されたｃ．画面選択順位データを読み込む。図２１（ｂ）を例として説明すると、上から順に選択受付順に並んだプレゼンテーション画面識別値をｃ０、ｃ１、ｃ２、ｃ３、ｃ４とすると、ｃ．画面選択順位データは各スライドのプレゼンテーション画面識別値を要素とする配列ｃ＝｛ｃ０、ｃ１、ｃ２、ｃ３、ｃ４｝と表される。例えば、プレゼンテーション画面ｃ２を削除する場合にはｃ＝｛ｃ０、ｃ１、ｃ３、ｃ４、ｎｕｌｌ｝となるようにＲＡＭ（２５０３）上のデータを書き換え、プレゼンテーション画面ｃ５を追加する場合にはｃのために確保されたメモリ領域を拡張し、ｃ＝｛ｃ０、ｃ１、ｃ２、ｃ３、ｃ４、ｃ５｝と末尾に追加する。追加する領域については設計により任意の領域でよい。さらに、図２１（ｂ）の「住宅取得額の平均」のプレゼンテーション画面の順序を一つ繰り上げたい場合には、ｃ＝｛ｃ０、ｃ２、ｃ１、ｃ３、ｃ４｝となるようにＲＡＭ（２５０３）上のデータを書き換える。書き換えられたｃ．画面選択順位データはＲＡＭ（２５０３）上の所定のアドレスに格納され編集処理は終了する。
【実施例６】
【０１１０】
＜概要＞
本実施例のプレゼンテーション資料組立システムは、プレゼンテーションサムネイル画面表示部により、選択受付されたプレゼンテーションサムネイル画面を確認しながら、画面選択順位情報の選択入力が可能である。選択入力が完了すると、選択入力に基づいて保持されている画面選択順位情報を更新不可として固定選択順位情報として保持し、次いで固定選択順位情報に関連付ける名称の入力を受付ける。入力を受け付けると名称を変更不可とし、プレゼンテーション資料を保持することが可能である。変更不可の処理の実行の後にはプレゼンテーション資料の画面選択順位情報に従ってプレゼンテーション画面を表示することが可能である。
【０１１１】
＜機能的構成＞
図２６は本実施例のプレゼンテーション資料組み立てシステムの機能的構成を示す図である。本実施例の機能的構成を有するプレゼンテーション資料組立システム（２６００）は、「組立開始命令受付部」（２６０１）と、「プレゼンテーション画面保持部」（２６０２）と、「プレゼンテーション画面選択受付部」（２６０３）と、「画面選択順位情報保持部」（２６０４）と、「選択解除部」（２６０５）と、「画面選択順位情報変更部」（２６０６）と、「プレゼンテーションサムネイル画面表示部」（２６１４）と、「更新不可部」（２６０７）と、「名称入力受付部」（２６０８）と、「変更不可部」（２６０９）と、「プレゼンテーション資料保持部」（２６１０）と、「プレゼンテーション画面表示部」（２６１１）と、を有する。なお、図示していないが「同時表示部」と、「プレゼンテーション画面拡大表示部」と、「複製保持部」と、「画面選択順位情報編集部」と、のいずれかを含む構成であってもよい。これら構成要件については上記で説明済みであるので記載は省略する。
【０１１２】
なお、プレゼンテーション資料保持部（２６１０）に保持されているプレゼンテーション資料はプレゼンテーション資料保持部内では複製できない構成となっていてもよい。
【０１１３】
さらに、プレゼンテーション画面選択受付部（２６０３）は、プレゼンテーション画面そのものをアイコンに利用したアイコン利用選択手段（図示せず）を有していてもよい。
【０１１４】
＜処理の流れ＞
図２７（Ａ）、図２７（Ｂ）は、本実施例にかかるプレゼンテーション資料組立システムを用いてプレゼンテーション資料の組立を実行し、プレゼンテーション画面選択受付処理を実行した場合の処理の流れの一例を示すためのフローチャートである。まず、一のプレゼンテーション資料の組立の開始命令を受付ける（ステップＳ２７０１）。次に画面選択を受付ける（ステップＳ２７０２）。次にプレゼンテーション画面の選択を解除するか否かの判断を実行する（ステップＳ２７０３）。選択解除を行うと判断した場合には選択を解除して画面選択順位情報を変更する（ステップＳ２７０４）。選択解除を行わないと判断した場合には当該処理はスキップする。次に所定の操作を検出したか否かの判断を行う（ステップＳ２７０５）。検出した場合にはプレゼンテーションサムネイル画面を表示する（ステップＳ２７０６）。検出しない場合には引き続きプレゼンテーション画面の選択受付処理（ステップＳ２７０２）を実行する。プレゼンテーションサムネイル画面の表示中には復帰操作を検出したか否かの判断が行われ（ステップＳ２７０７）、検出した場合にはプレゼンテーション画面の選択受付が終了したか否かの判断処理（ステップＳ２７０８）に移行する。検出しない場合には引き続きプレゼンテーションサムネイル画面を表示する（ステップＳ２７０６）。プレゼンテーション画面の選択受付が終了したと判断した場合には、画面選択順位情報を変更不可として固定選択順位情報とする（ステップＳ２７０９）。次に固定選択順位情報と関連付ける名称の入力を受付る（ステップＳ２７１０）。最後に名称を変更不可とし、組み立てられたプレゼンテーション資料とする（ステップＳ２７１１）。プレゼンテーション画面の選択受付が終了していないと判断した場合には（ステップＳ２７０８）引き続きプレゼンテーション画面の選択受付処理（ステップＳ２７０２）を実行する。なお、プレゼンテーションサムネイル表示画面を表示する処理は、選択受付が終了した後に実行されてもよい。
【０１１５】
＜ハードウエア構成＞
図２８は、本実施例にかかるプレゼンテーション資料組立システムのハードウエア構成の一例を示す図である。以下、この図を用いてプレゼンテーション資料組立処理について説明する。
【０１１６】
この図にあるように、本実施例にかかるプレゼンテーション資料組立システムは、各種演算処理を行う「ＣＰＵ（中央演算装置）」（２８０１）と、ＨＤＤなどの「不揮発性メモリ」（２８０２）と、揮発性の記憶媒体である「ＲＡＭ」（２８０３）を備えている。「ビデオカード」（２８０４）には「ディスプレイ」（２８０５）が接続されている。また、キーボード、マウスなどのポインティングデバイスなどが含まれる「Ｕ／Ｉ」（２８０６）、ＬＡＮなどのネットワークに接続するための「ネットワークＩ／Ｆ」（２８０７）を備えている。そして、それらが「システムバス」（２８０８）などのデータ通信経路によって相互に接続され、情報の送受信や処理を行う。
【０１１７】
Ｕ／Ｉ（２８０６）により操作を受付け、１．組立開始命令受付プログラムが実行されると、２．プレゼンテーション画面選択受付プログラムが起動し、Ｕ／Ｉ（２８０６）により画面選択の受付処理を実行する。ここで、Ｕ／Ｉ（２８０６）に対して所定の入力がされると割り込みが生じ、１１．プレゼンテーションサムネイル画面表示プログラムがＲＡＭ（２８０３）より呼び出されＣＰＵ（２８０１）にて実行される。同プログラムは、ＲＡＭ（２８０３）または不揮発性メモリ（２８０２）上に保持されているｃ．画面選択順位データを読み込む。ｃ．画面選択順位データは配列変数となっており、配列のインデックスが順位データ、配列の要素がプレゼンテーション画面識別データとなっている。また、ａ．プレゼンテーション画面データは画面識別データをキー、プレゼンテーション画面イメージデータを要素とする配列などとなっている。同プログラムは、まずｃ．画面選択順位データの先頭の要素ｃ（０）を参照し、プレゼンテーション画面識別値ｘを取得する。次に、ＣＰＵ（２８０１）においてＲＡＭ（２８０３）内のａ．プレゼンテーション画面データのキー値を走査してキー値がｘである要素を探索する。その結果ヒットしたキー値がｘの要素ａ［ｘ］（キー値がｘのプレゼンテーション画面データ）をＲＡＭ（２８０３）上に格納する。この処理をｃの要素の数、すなわち選択受付された画面の数だけ繰り返す。格納されたデータは同プログラムにより格納された順に、画面の所定の位置に配置されるべく、ビデオカード（２８０４）を介してディスプレイ（２８０５）に出力され、表示される。
【０１１８】
再び、Ｕ／Ｉ（２８０６）に対して所定の入力、例えば画面のフリック操作がされると割り込みが生じ、プレゼンテーションサムネイル画面表示からプレゼンテーション画面選択受付画面に切り替わり、２．プレゼンテーション画面選択受付プログラムが再度ＣＰＵ（２８０１）において実行状態に復帰する。同プログラムは、不揮発性メモリ（２８０２）やＲＡＭ（２８０３）において複数の画面データが保持されているａ．プレゼンテーション画面データを読み込み、ビデオカード（２８０４）を介してディスプレイ（２８０５）に選択可能状態のアイコンとして表示する。表示がされると、Ｕ／Ｉ（２８０６）によりプレゼンテーション画面の選択を、アイコンを選択することで受け付ける。このとき、一の画面がすでに選択状態となっているか否かの判断をｂ．選択フラグの値により判断を行う。ｂ．選択フラグの値が１であれば既に選択された状態を示すようなアイコンの表示（例えば図１（Ｃ）（０１０６））を行う。ｂ．選択フラグの値が０の場合であれば未選択、または一旦選択されて選択が解除された画面であるとして選択可能状態のアイコンで表示を行い、マウスクリック等のＵ／Ｉ（２８０６）による選択動作を受け付ける。選択を受け付けると当該画面のｂ．選択フラグの値を０から１に変更する。これと共に、ｂ．選択フラグの値が１である画面の識別情報と、受け付けた選択順位を示す情報である順位情報と、を関連付けた情報をｃ.画面選択順位データとしてＲＡＭ（２８０３）や不揮発性メモリ（２８０２）に格納する。なお、すでに選択された状態のアイコンをマウスクリック等とすると３．選択解除プログラムが起動しｂ．選択フラグの値が１から０に変更され、選択が解除され選択可能状態に戻る。選択が解除されると、同プログラムがｃ.画面選択順位データから選択解除に係る画面の識別情報を削除する。つぎに、４．画面選択順位情報変更プログラムが起動し、ｃ.画面選択順位データの中の削除された画面識別情報に関連付けられていた順位情報を削除し、削除された順位以降のｃ.画面選択順位データの選択順位を繰り上げるなどの処理を実行する。上記の画面選択受付処理が終了すると、５．更新不可プログラムがＣＰＵ（２８０１）において実行状態となり、Ｕ／Ｉ（２８０６）から更新不可処理の実行を受け付ける。実行を受け付けると、ＲＡＭ（２８０３）上に保持されているｃ.画面選択順位データを複製し、ｄ．固定選択順位データとしてＲＡＭ（２８０３）に格納する。次に、６．名称入力受付プログラムが実行状態となり、キーボード等のＵ／Ｉ（２８０６）より名称の入力を受け付ける、受け付けが完了すると７．変更不可プログラムが実行状態となり、受け付けた名称とｄ.固定選択順位データとを関連付けてｅ．プレゼンテーション資料としてＲＡＭ（２８０３）や不揮発性メモリ（２８０２）に格納する。
【０１１９】
プレゼンテーション資料の表示処理は、ＣＰＵ（２８０１）にて実行される８．プレゼンテーション画面表示プログラムにより行われる。同プログラムは、ＲＡＭ（２８０３）や不揮発性メモリ（２８０２）に保持されているｅ．プレゼンテーション資料データを読み込み、データ内のｄ．固定選択順位データに従ってプレゼンテーション画面を、Ｕ／Ｉ（２８０６）からの入力に応じてビデオカード（２８０４）を介してディスプレイ（２８０５）に対して選択順位順に表示する。
【０１２０】
＜効果＞
上記構成によると、サムネイル表示を利用した直感的な操作により、プレゼンテーション画面の選択受付処理を実行しつつ、作成者の意図に合わせた柔軟な資料作成を実行することが可能である。また、プレゼンテーション資料完成後に変更不可とする処理を実行することで、商品に関する重要事項の告知義務を果たしたエビデンスを提供できる資料作成が可能である。
【実施例７】
【０１２１】
＜概要＞
本実施例では、サーバからネットワーク経由でプレゼンテーション画面と画面選択順位情報とを取得可能であるプレゼンテーション資料組立システムを提供する。本実施例のプレゼンテーション資料組立システムによると、例えば本部サーバから新規なプレゼンテーション資料を各端末に対して基準資料として配布し利用することができる。また、構成によっては複製を作成することによって配布されたプレゼンテーション資料の編集が可能であり、サムネイル画面を表示させながらプレゼンテーション資料を再構成することが可能である。
【０１２２】
＜機能的構成＞
図２９は本実施例のプレゼンテーション資料組み立てシステムの機能的構成を示す図である。本実施例の機能的構成を有するプレゼンテーション資料組立システム（２９００）は、「組立開始命令受付部」（２９０１）と、「プレゼンテーション画面保持部」（２９０２）と、「プレゼンテーション画面選択受付部」（２９０３）と、「画面選択順位情報保持部」（２９０４）と、「選択解除部」（２９０５）と、「画面選択順位情報変更部」（２９０６）と、「プレゼンテーションサムネイル画面表示部」（２９１４）と、「更新不可部」（２９０７）と、「名称入力受付部」（２９０８）と、「変更不可部」（２９０９）と、「プレゼンテーション資料保持部」（２９１０）と、「プレゼンテーション画面表示部」（２９１１）と、「編集部」（２９１７）と、「画面選択順位情報取得部」（２９１２）と、「画面選択順位情報記録部」（２９１３）と、を有する。なお、図示していないが、「同時表示部」と、「プレゼンテーション画面拡大表示部」と、「複製保持部」と、「画面選択順位情報編集部」と、のいずれかを含む構成であってもよい。これらの構成については上記実施例にて説明済みであるので記載は省略する。
【０１２３】
＜処理の流れ＞
図３０（Ａ）〜（Ｃ）は、本実施例にかかるプレゼンテーション資料組立システムを用いてプレゼンテーション資料の組立を実行した場合の処理の流れの一例を示すためのフローチャートである。まず、プレゼンテーション資料を外部より追加するか否か判断する（ステップＳ３００１）。外部より追加する場合には画面選択順位情報を外部より取得し（ステップＳ３００２）、次に取得した画面選択順位情報を記録する（ステップＳ３００３）。そのうえでプレゼンテーション画面の追加を実行する（ステップＳ３００４）。次に、一のプレゼンテーション資料の組立の開始命令を受付ける（ステップＳ３００５）。次に画面選択を受付ける（ステップＳ３００６）。次にプレゼンテーション画面の選択を解除するか否かの判断を実行する（ステップＳ３００７）。選択解除を行うと判断した場合には選択を解除して画面選択順位情報を変更する（ステップＳ３００８）。選択解除を行わないと判断した場合には当該処理はスキップする。次に所定の操作を検出したか否かの判断を行う（ステップＳ３００９）。検出した場合にはプレゼンテーションサムネイル画面を表示する（ステップＳ３０１０）。検出しない場合には引き続きプレゼンテーション画面の選択受付処理（ステップＳ３００６）を実行する。プレゼンテーションサムネイル画面の表示中には復帰操作を検出したか否かの判断が行われ（ステップＳ３０１１）、検出した場合にはプレゼンテーション画面の選択受付が終了したか否かの判断処理（ステップＳ３０１２）に移行する。検出しない場合には引き続きプレゼンテーションサムネイル画面を表示する（ステップ３０７１０）。プレゼンテーション画面の選択受付が終了したと判断した場合には、画面選択順位情報を変更不可として固定選択順位情報とする（ステップＳ３０１３）。次に固定選択順位情報と関連付ける名称の入力を受付る（ステップＳ３０１４）。最後に名称を変更不可とし、組み立てられたプレゼンテーション資料とする（ステップＳ３０１５）。プレゼンテーション画面の選択受付が終了していないと判断した場合には（ステップＳ３０１２）引き続きプレゼンテーション画面の選択受付処理（ステップＳ３００６）を実行する。なお、プレゼンテーションサムネイル表示画面を表示する処理は、選択受付が終了した後に実行されてもよい。
【０１２４】
＜ハードウエア構成＞
図３１は、本実施例にかかるプレゼンテーション資料組立システムのハードウエア構成の一例を示す図である。以下、この図を用いてプレゼンテーション資料組立処理について説明する。
【０１２５】
この図にあるように、本実施例にかかるプレゼンテーション資料組立システムは、各種演算処理を行う「ＣＰＵ（中央演算装置）」（３１０１）と、ＨＤＤなどの「不揮発性メモリ」（３１０２）と、揮発性の記憶媒体である「ＲＡＭ」（３１０３）を備えている。「ビデオカード」（３１０４）には「ディスプレイ」（３１０５）が接続されている。また、キーボード、マウスなどのポインティングデバイスなどが含まれる「Ｕ／Ｉ」（３１０６）、ＬＡＮなどのネットワークに接続するための「ネットワークＩ／Ｆ」（３１０７）を備えている。そして、それらが「システムバス」（３１０８）などのデータ通信経路によって相互に接続され、情報の送受信や処理を行う。
【０１２６】
最初にＵ／Ｉ（３１０６）への入力により、９．画面選択順情報取得プログラムがＲＡＭ（３１０３）上に展開されＣＰＵ（３１０１）にて実行される。同プログラムは、ネットワークＩ／Ｆ（３１０７）を介して、サーバ上のｃ．画面選択順位データを取得し、１０．画面選択順位情報記録プログラムによりＲＡＭ（３１０３）上に格納する。次に、１５．編集プログラムがＲＡＭ（３１０３）上に展開されＣＰＵ（３１０１）にて実行される。同プログラムはＲＡＭ（３１０３）上に取得したｃ．画面選択順位データと、ａ．プレゼンテーション画面データを参照し、ｃ.画面選択順位データ内にあるが、それに対応するａ.プレゼンテーション画面データがＲＡＭ（３１０３）あるいは不揮発性メモリ（３１０２）上に存在しないプレゼンテーション画面データにかかるｚ．プレゼンテーション画面識別値をｃ．画面選択順位データより取得し、ネットワークＩ／Ｆ（３１０７）を介してサーバに送信し、存在しないプレゼンテーション画面データ（プレゼンテーション画面識別値：ｚ）のダウンロード要求を実行する。サーバよりプレゼンテーション画面データをダウンロードすると、ＲＡＭ（３１０３）上および不揮発性メモリ（３１０２）に格納のa.プレゼンテーション画面データに追加する。
【０１２７】
追加が完了すると、２．プレゼンテーション画面選択受付プログラムが起動し、Ｕ／Ｉ（３１０６）により画面選択の受付処理を実行している。ここで、Ｕ／Ｉ（３１０６）に対して所定の入力がされると割り込みが生じ、１１．プレゼンテーションサムネイル画面表示プログラムがＲＡＭ（３１０３）より呼び出されＣＰＵ（３１０１）にて実行される。同プログラムは、ＲＡＭ（３１０３）または不揮発性メモリ（３１０２）上に保持されているｃ．画面選択順位データを読み込む。ｃ．画面選択順位データは配列変数となっており、配列のインデックスが順位データ、配列の要素がプレゼンテーション画面識別データとなっている。また、ａ．プレゼンテーション画面データは画面識別データをキー、プレゼンテーション画面イメージデータを要素とする配列などとなっている。同プログラムは、まずｃ．画面選択順位データの先頭の要素ｃ（０）を参照し、プレゼンテーション画面識別値ｘを取得する。次に、ＣＰＵ（３１０１）においてＲＡＭ（３１０３）内のａ．プレゼンテーション画面データのキー値を走査してキー値がｘである要素を探索する。その結果ヒットしたキー値がｘの要素ａ［ｘ］（キー値がｘのプレゼンテーション画面データ）をＲＡＭ（３１０３）上に格納する。この処理をｃの要素の数、すなわち選択受付された画面の数だけ繰り返す。格納されたデータは同プログラムにより格納された順に、画面の所定の位置に配置されるべく、ビデオカード（３１０４）を介してディスプレイ（３１０５）に出力され、表示される。
【０１２８】
再び、Ｕ／Ｉ（３１０６）に対して所定の入力、例えば画面のフリック操作がされると割り込みが生じ、プレゼンテーションサムネイル画面表示からプレゼンテーション画面選択受付画面に切り替わり、２．プレゼンテーション画面選択受付プログラムが再度ＣＰＵ（３１０１）において実行状態に復帰する。同プログラムは、不揮発性メモリ（３１０２）やＲＡＭ（３１０３）において複数の画面データが保持されているａ．プレゼンテーション画面データを読み込み、ビデオカード（３１０４）を介してディスプレイ（３１０５）に選択可能状態のアイコンとして表示する。表示がされると、Ｕ／Ｉ（３１０６）によりプレゼンテーション画面の選択を、アイコンを選択することで受け付ける。このとき、一の画面がすでに選択状態となっているか否かの判断をｂ．選択フラグの値により判断を行う。ｂ．選択フラグの値が１であれば既に選択された状態を示すようなアイコンの表示（例えば図１（Ｃ）（０１０６））を行う。ｂ．選択フラグの値が０の場合であれば未選択、または一旦選択されて選択が解除された画面であるとして選択可能状態のアイコンで表示を行い、マウスクリック等のＵ／Ｉ（３１０６）による選択動作を受け付ける。選択を受け付けると当該画面のｂ．選択フラグの値を０から１に変更する。これと共に、ｂ．選択フラグの値が１である画面の識別情報と、受け付けた選択順位を示す情報である順位情報と、を関連付けた情報をｃ.画面選択順位データとしてＲＡＭ（３１０３）や不揮発性メモリ（３１０２）に格納する。なお、すでに選択された状態のアイコンをマウスクリック等とすると３．選択解除プログラムが起動しｂ．選択フラグの値が１から０に変更され、選択が解除され選択可能状態に戻る。選択が解除されると、同プログラムがｃ.画面選択順位データから選択解除に係る画面の識別情報を削除する。つぎに、４．画面選択順位情報変更プログラムが起動し、ｃ.画面選択順位データの中の削除された画面識別情報に関連付けられていた順位情報を削除し、削除された順位以降のｃ.画面選択順位データの選択順位を繰り上げるなどの処理を実行する。上記の画面選択受付処理が終了すると、５．更新不可プログラムがＣＰＵ（３１０１）において実行状態となり、Ｕ／Ｉ（３１０６）から更新不可処理の実行を受け付ける。実行を受け付けると、ＲＡＭ（３１０３）上に保持されているｃ.画面選択順位データを複製し、ｄ．固定選択順位データとしてＲＡＭ（３１０３）に格納する。次に、６．名称入力受付プログラムが実行状態となり、キーボード等のＵ／Ｉ（３１０６）より名称の入力を受け付ける、受け付けが完了すると７．変更不可プログラムが実行状態となり、受け付けた名称とｄ.固定選択順位データとを関連付けてｅ．プレゼンテーション資料としてＲＡＭ（３１０３）や不揮発性メモリ（３１０２）に格納する。
【０１２９】
プレゼンテーション資料の表示処理は、ＣＰＵ（３１０１）にて実行される８．プレゼンテーション画面表示プログラムにより行われる。同プログラムは、ＲＡＭ（３１０３）や不揮発性メモリ（３１０２）に保持されているｅ．プレゼンテーション資料データを読み込み、データ内のｄ．固定選択順位データに従ってプレゼンテーション画面を、Ｕ／Ｉ（３１０６）からの入力に応じてビデオカード（３１０４）を介してディスプレイ（３１０５）に対して選択順位順に表示する。
【０１３０】
＜効果＞
上記構成によると、「編集部」により、ネットワーク経由でプレゼンテーション画面を追加することが可能である。また、「画面選択順位情報取得部」と「画面選択順位情報記録部」とにより、画面選択順位情報をもネットワーク経由で外部より取得することが可能である。これにより新規なプレゼンテーション画面が含まれるプレゼンテーション資料を配布することが可能である。また、「画面選択順位情報編集部」を有する構成では、配布されたプレゼンテーション資料を、サムネイル表示しながら編集することが可能である。
【符号の説明】
【０１３１】
０２００：プレゼンテーション資料組立システム
０２０１：組立開始命令受付部
０２０２：プレゼンテーション画面保持部
０２０３：プレゼンテーション画面選択受付部
０２０４：画面選択順位情報保持部
０２０５：選択解除部
０２０６：画面選択順位情報変更部
０２０７：更新不可部
０２０８：名称入力受付部
０２０９：変更不可部
０２１０：プレゼンテーション資料保持部
０２１１：プレゼンテーション画面表示部
【図１（Ａ）】
2019175456.tif 000003
【図１（Ｂ）】
2019175456.tif 000004
【図１（Ｃ）】
2019175456.tif 000005
【図１（Ｄ）】
2019175456.tif 000006
【図２】
2019175456.tif 000007
【図３】
2019175456.tif 000008
【図４】
2019175456.tif 000009
【図５】
2019175456.tif 000010
【図６】
2019175456.tif 000011
【図７】
2019175456.tif 000012
【図８】
2019175456.tif 000013
【図９】
2019175456.tif 000014
【図１０】
2019175456.tif 000015
【図１１】
2019175456.tif 000016
【図１２】
2019175456.tif 000017
【図１３】
2019175456.tif 000018
【図１４】
2019175456.tif 000019
【図１５】
2019175456.tif 000020
【図１６】
2019175456.tif 000021
【図１７】
2019175456.tif 000022
【図１８】
2019175456.tif 000023
【図１９】
2019175456.tif 000024
【図２０】
2019175456.tif 000025
【図２１】
2019175456.tif 000026
【図２２】
2019175456.tif 000027
【図２３】
2019175456.tif 000028
【図２４】
2019175456.tif 000029
【図２５】
2019175456.tif 000030
【図２６】
2019175456.tif 000031
【図２７（Ａ）】
2019175456.tif 000032
【図２７（Ｂ）】
2019175456.tif 000033
【図２８】
2019175456.tif 000034
【図２９】
2019175456.tif 000035
【図３０（Ａ）】
2019175456.tif 000036
【図３０（Ｂ）】
2019175456.tif 000037
【図３０（Ｃ）】
2019175456.tif 000038
【図３１】
2019175456.tif 000039
【図３２（Ａ）】
2019175456.tif 000040
【図３２（Ｂ）】
2019175456.tif 000041
【図３２（Ｃ）】
2019175456.tif 000042